(57)【特許請求の範囲】
【請求項１】
ユーザ機器が基地局によって配置されたリソースブロック集合と既定義情報に基づき、前記リソースブロックで増強した物理下り制御チャネルｅＰＤＣＣＨに乗せられている下り制御情報を検出することを含み、
前記既定義情報は、前記リソースブロック集合で検出されるサブキャリア位置情報、前記リソースブロック集合で検出される増強制御チャネルユニット情報、ｅＰＤＣＣＨのマッピングモード、前記リソースブロック集合で検出されるアグリゲーションレベル配置情報、前記リソースブロック集合で検出されるアグリゲーションレベルに対応する候補セットの数と下り制御情報フォーマットを含み、
前記検出されるアグリゲーションレベルを決定する方式は少なくとも、
前記ユーザ機器が検出されるｅＣＣＥのうちの一つのｅＣＣＥの、下り制御情報を伝送する有効符号レートに基づき、検出すべきアグリゲーションレベル配置を決定する方式１と、
ユーザ機器が検出されるｅＣＣＥのうちの一つのｅＣＣＥの実際に伝送する最大ビット数に基づき、検出すべきアグリゲーションレベル配置を決定する方式２と、
前記ユーザ機器が検出される前記下り制御情報フォーマットの種類に基づき、検出すべきアグリゲーションレベル配置を決定する方式３と、
のいずれか一つを含む下り制御情報検出方法。
【請求項２】
前記リソースブロック集合におけるリソースブロックの数は、２、４、６、８、１２、１６のいずれか１つである、
或いは、前記ｅＰＤＣＣＨのマッピングモードは連続式マッピング及び／又は離散式マッピングを含む、
或いは、前記下り制御情報フォーマットは前記下り制御情報に対応するデータのマッピングモードによって決定される請求項１に記載の方法。
【請求項３】
前記リソースブロック集合に含まれるリソースブロックの数が４より大きい場合、前記ユーザ機器は２又は４個のリソースブロックを、検出されるリソースブロック集合として選択する請求項２に記載の方法。
【請求項４】
同一種類のアグリゲーションレベルのｅＰＤＣＣＨは、同一種類のマッピングモードとして配置され、
アグリゲーションレベルに対応するリソースの大きさにより、すべてのアグリゲーションレベルを小さい順で配列すると、Ｎ１、Ｎ２…Ｎｐになり、ｐは正整数であり、そのうち、アグリゲーションレベルＮ１、Ｎ２…Ｎｑに対応するｅＰＤＣＣＨは連続式マッピングに配置され、アグリゲーションレベルＮ（ｑ＋１）…Ｎｐに対応するｅＰＤＣＣＨは離散式マッピングに配置され、ｑは正整数であり、
前記ｑは前記基地局によって配置される、或いはｑは固定値である、或いは通常サイクリックプレフィックスと拡張サイクリックプレフィックスとを含むサイクリックプレフィックスのタイプが異なるサブフレームに対して、異なるｑ値が定義される請求項２に記載の方法。
【請求項５】
ＴＤＤシステムに対して、前記ユーザ機器は特別サブフレームと通常サブフレームで異なるアグリゲーションレベル集合を検出し、
前記特別サブフレームにおいて、前記ユーザ機器は特別サブフレームの配置に基づき、検出されるアグリゲーションレベル集合を決定する請求項１に記載の方法。
【請求項６】
前記ユーザ機器が検出する前記アグリゲーションレベル配置は配置１及び/又は配置２を含み、
前記配置１はアグリゲーションレベルａ１、アグリゲーションレベルａ２、アグリゲーションレベルａ３、及びアグリゲーションレベルａ４を含み、
前記配置２はアグリゲーションレベルｂ１、アグリゲーションレベルｂ２、アグリゲーションレベルｂ３、及びアグリゲーションレベルｂ４を含み、或いは、前記配置２はアグリゲーションレベルａ２、アグリゲーションレベルａ３、及びアグリゲーションレベルａ４を含み、
ａ１、ａ２、ａ３、ａ４はそれぞれ１、２、４，８であり、
ｂ１、ｂ２、ｂ３、ｂ４はそれぞれ２、４、８、１６、又は２、４、８、１２である請求項１に記載の方法。
【請求項７】
前記有効符号レートがＸより大きい場合、配置２が採用され、前記有効符号レートがＸ以下である場合、配置１が採用され、Ｘは予め設定された閾値であり、
前記ｅＣＣＥによって伝送される前記最大ビット数が下り制御情報に含まれるビット数未満である場合、検出すべき前記アグリゲーションレベルは配置１であり、前記ｅＣＣＥによって伝送される最大ビット数が前記下り制御情報に含まれるビット数より大きい場合、検出すべき前記アグリゲーションレベルは配置２である請求項６に記載の方法。
【請求項８】
前記ユーザ機器が検出するアグリゲーションレベルはアグリゲーションレベルａ１、アグリゲーションレベルａ２、アグリゲーションレベルａ３、及びアグリゲーションレベルａ４であり、かつ
各アグリゲーションレベルに対応する候補セットの数はそれぞれｃ１、ｃ２、ｃ３、ｃ４であり、かつ
ユーザ機器がアグリゲーションレベルａ２、アグリゲーションレベルａ３、アグリゲーションレベルａ４のみを検出する場合、各アグリゲーションレベルに対応する候補セットの数はｃ２、ｃ３、ｃ４で、あるいはｄ２、ｄ３、ｄ４であり、
そのうち、ｄ２＋ｄ３＋ｄ４≦ｃ１＋ｃ２＋ｃ３＋ｃ４で、ａ１、ａ２、ａ３、ａ４、ｃ１、ｃ２、ｃ３、ｃ４、ｄ２、ｄ３、ｄ４はいずれも正整数である、
あるいは、前記ユーザ機器が検出するアグリゲーションレベルはアグリゲーションレベルａ１、アグリゲーションレベルａ２、アグリゲーションレベルａ３、及びアグリゲーションレベルａ４であり、かつ
各アグリゲーションレベルに対応する候補セットの数はそれぞれｃ１、ｃ２、ｃ３、ｃ４であり、
そのうち、ｃ１、ｃ２、ｃ３、ｃ４はそれぞれ６、６、２、２、又はそれぞれ８、４、２、２、又はそれぞれ４、８、２、２、又はそれぞれ４、４、４、４、又はそれぞれ４、６、４、２で、ａ１、ａ２、ａ３、ａ４はいずれも正整数である請求項１に記載の方法。
【請求項９】
前記リソースブロック集合に４つのリソースブロックが含まれ、かつ１つのリソースブロックに４つの増強制御チャネルユニットが含まれ、かつ１つの増強制御チャネルユニットに２つのリソースグループが含まれ、かつすべてのリソースグループは＃０から＃３１と番号付けられ、かつアグリゲーションレベルａはｅＰＤＣＣＨに対応するリソースがａ個の増強制御チャネルユニットであることを表し、
かつ前記マッピング方式が離散式マッピングである場合、前記リソースブロック集合で検出されるサブキャリア位置情報は、
アグリゲーションレベルが１の場合、前記リソースブロック集合で検出されるサブキャリア位置情報は｛（＃０，＃１６），（＃２，＃１８）｝、｛（＃１，＃１７），（＃３，＃１９）｝、｛（＃４，＃２０），（＃６，＃２２）｝、｛（＃５，＃２１），（＃７，＃２３）｝、｛（＃８，＃２４），（＃１０，＃２６｝，｛（＃９，＃２５），（＃１１，＃２７）｝、｛（＃１２，＃２８），（＃１４，＃３０）｝、｛（＃１３，＃２９），（＃１５，＃３１）｝、｛（＃０，＃１６），（＃１，＃１７），（＃２，＃１８），（＃３，＃１９）｝、｛（＃４，＃２０），（＃５，＃２１），（＃６，＃２２），（＃７，＃２３）｝、｛（＃８，＃２４），（＃９，＃２５），（＃１０，＃２６），（＃１１，＃２７）｝、｛（＃１２，＃２８），（＃１３，＃２９），（＃１４，＃３０），（＃１５，＃３１）｝の何れか一つ又は組合せのリソースグループに対応するサブキャリアであること、
又は、アグリゲーションレベルが２の場合、前記リソースブロック集合で検出されるサブキャリア位置情報は｛（＃０，＃１，＃１６，＃１７），（＃２，＃３，＃１８，＃１９）｝、｛（＃４，＃５，＃２０，＃２１），（＃６，＃７，＃２２，＃２３）｝，｛（＃８，＃９，＃２４，＃２５），（＃１０，＃１１，＃２６，＃２７）｝、｛（＃１２，＃１３，＃２８，＃２９），（＃１４，＃１５，＃３０，＃３１）｝、｛（＃０，＃８，＃１６，＃２４），（（＃２，＃１０，＃１８，＃２６））｝、｛（＃１，＃９，＃１７，＃２５），（（＃３，＃１１，＃１９，＃２７））｝、｛（＃４，＃１２，＃２０，＃２８），（（＃６，＃１４，＃２２，＃３０））｝、｛（＃５，＃１３，＃２１，＃２９），（（＃７，＃１５，＃２３，＃３１））｝の何れか一つ又は組合せのリソースグループに対応するサブキャリアであることの少なくとも一つである、
あるいは、前記リソースブロック集合に２つのリソースブロックが含まれ、かつ１つのリソースブロックに４つの増強制御チャネルユニットが含まれ、かつ全ての増強制御チャネルユニットは＃０から＃７と番号付けられ、かつアグリゲーションレベルａはｅＰＤＣＣＨに対応するリソースがａ個の増強制御チャネルユニットであることを表し、かつ
前記リソースブロック集合で検出される増強制御チャネルユニット情報は、
前記マッピング方式が連続式マッピングで、且つアグリゲーションレベルが１である場合、前記リソースブロック集合で検出される増強制御チャネルユニット情報は＃０から＃７であること、
又は、前記マッピング方式が連続式マッピングで、且つアグリゲーションレベルが２である場合、前記リソースブロック集合で検出される増強制御チャネルユニット情報は｛＃０，＃１｝、｛＃２，＃３｝、｛＃４，＃５｝、｛＃６，＃７｝であること、
又は、前記マッピング方式が連続式マッピングで、且つアグリゲーションレベルが４である場合、前記リソースブロック集合で検出される増強制御チャネルユニット情報は｛＃０，＃１，＃２，＃３｝、｛＃４，＃５，＃６，＃７｝であること、
又は、前記マッピング方式が離散式マッピングで、且つアグリゲーションレベルが２である場合、前記リソースブロック集合で検出される増強制御チャネルユニット情報は｛＃０，＃４｝，｛＃１，＃５｝、｛＃２，＃６｝、｛＃３，＃７｝であること、
又は、前記マッピング方式が離散式マッピングで、且つアグリゲーションレベルが４である場合、前記リソースブロック集合で検出される増強制御チャネルユニット情報は｛＃０，＃２，＃４，＃６｝、｛＃１，＃３，＃５，＃７｝であることの少なくとも一つである、
あるいは、前記リソースブロック集合に４つのリソースブロックが含まれ、かつ１つのリソースブロックに４つの増強制御チャネルユニットが含まれ、かつ全ての増強制御チャネルユニットは＃０から＃１５と番号付けられ、かつアグリゲーションレベルａはｅＰＤＣＣＨに対応するリソースがａ個の増強制御チャネルユニットであることを表し、かつ
前記リソースブロック集合で検出される増強制御チャネルユニット情報は、
前記マッピング方式が連続式マッピングで、且つアグリゲーションレベルが１である場合、前記リソースブロック集合で検出される増強制御チャネルユニット情報は｛＃０，＃２，＃４，＃６，＃８，＃１０，＃１２，＃１４｝または｛＃１，＃３，＃５，＃７，＃９，＃１１，＃１３，＃１５｝であること、
又は、前記マッピング方式が連続式マッピングで、且つアグリゲーションレベルが２である場合、前記リソースブロック集合で検出される増強制御チャネルユニット情報は｛（＃０，＃１），（＃４，＃５），（＃８，＃９），（＃１２，＃１３）｝、または｛（＃２，＃３），（＃６，＃７），（＃１０，＃１１），（＃１４，＃１５）｝であること、
又は、前記マッピング方式が連続式マッピングで、且つアグリゲーションレベルが４である場合、前記リソースブロック集合で検出される増強制御チャネルユニット情報は｛（＃０，＃１，＃２，＃３），（＃８，＃９，＃１０，＃１１）｝、又は｛（＃４，＃５，＃６，＃７），（＃１２，＃１３，＃１４，＃１５）｝であること、
又は、前記マッピング方式が離散式マッピングで、且つアグリゲーションレベルが２である場合、前記リソースブロック集合で検出される増強制御チャネルユニット情報は｛（＃０，＃８），（＃２，＃１０），（＃４，＃１２），（＃６，＃１４）｝、または｛（＃１，＃９），（＃３，＃１１），（＃５，＃１３），（＃７，＃１５）｝であること、
又は、前記マッピング方式が離散式マッピングで、且つアグリゲーションレベルが４である場合、前記リソースブロック集合で検出される増強制御チャネルユニット情報は｛（＃０，＃４，＃８，＃１２），（＃２，＃６，＃１０，＃１４）｝、又は｛（＃１，＃５，＃９，＃１３），（＃３，＃７，＃１１，＃１５）｝であること、
又は、前記マッピング方式が離散式マッピングで、且つアグリゲーションレベルが８である場合、前記リソースブロック集合で検出される増強制御チャネルユニット情報は｛（＃０，＃２，＃４，＃６，＃８，＃１０，＃１２，＃１４），（＃１，＃３，＃５，＃７，＃８，＃９，＃１１，＃１３）｝であることの少なくとも一つである請求項１に記載の方法。
【請求項１０】
異なるサイクリックプレフィックスが異なるアグリゲーションレベルに対応する、又は異なるサイクリックプレフィックスは異なる候補セット数に対応する請求項１に記載の方法。
【請求項１１】
基地局によって配置されたリソースブロック集合と、前記リソースブロック集合で検出されるサブキャリア位置情報、前記リソースブロック集合で検出される増強制御チャネルユニット情報、ｅＰＤＣＣＨのマッピングモード、前記リソースブロック集合で検出されるアグリゲーションレベル配置情報、前記リソースブロック集合で検出されるアグリゲーションレベルに対応する候補セット数と下り制御情報フォーマットを含む既定義情報とを受信するように構成されている受信モジュールと、
前記リソースブロック集合と前記既定義情報に基づき、前記リソースブロックで増強した物理下り制御チャネルｅＰＤＣＣＨに乗せられている下り制御情報を検出するように構成されている検出モジュールとを含み、
前記検出されるアグリゲーションレベルを決定する方式は少なくとも、
前記ユーザ機器が検出されるｅＣＣＥのうちの一つのｅＣＣＥの、下り制御情報を伝送する有効符号レートに基づき、検出すべきアグリゲーションレベル配置を決定する方式１と、
ユーザ機器が検出されるｅＣＣＥのうちの一つのｅＣＣＥの実際に伝送する最大ビット数に基づき、検出すべきアグリゲーションレベル配置を決定する方式２と、
前記ユーザ機器が検出される前記下り制御情報フォーマットの種類に基づき、検出すべきアグリゲーションレベル配置を決定する方式３と、
のいずれか一つを含むユーザ機器。
【請求項１２】
前記リソースブロック集合におけるリソースブロックの数は、２、４、６、８、１２、１６のいずれか一つである請求項１１に記載のユーザ機器。
【請求項１３】
前記ユーザ機器が検出する前記アグリゲーションレベル配置は配置１及び/又は配置２を含み、
前記配置１はアグリゲーションレベルａ１、アグリゲーションレベルａ２、アグリゲーションレベルａ３、及びアグリゲーションレベルａ４を含み、
前記配置２はアグリゲーションレベルｂ１、アグリゲーションレベルｂ２、アグリゲーションレベルｂ３、及びアグリゲーションレベルｂ４を含み、或いは、前記配置２はアグリゲーションレベルａ２、アグリゲーションレベルａ３、及びアグリゲーションレベルａ４を含み、
ａ１、ａ２、ａ３、ａ４はそれぞれ１、２、４，８であり、
ｂ１、ｂ２、ｂ３、ｂ４はそれぞれ２、４、８、１６、又は２、４、８、１２である請求項１１に記載のユーザ機器。
【請求項１４】
前記有効符号レートがＸより大きい場合、配置２が採用され、前記有効符号レートがＸ以下である場合、配置１が採用され、Ｘは予め設定された閾値であり、
前記ｅＣＣＥによって伝送される前記最大ビット数が下り制御情報に含まれるビット数未満である場合、検出すべき前記アグリゲーションレベルは配置１であり、前記ｅＣＣＥによって伝送される最大ビット数が前記下り制御情報に含まれるビット数より大きい場合、検出すべき前記アグリゲーションレベルは配置２である請求項１３に記載のユーザ機器。
【請求項１５】
前記ユーザ機器が検出するアグリゲーションレベルはアグリゲーションレベルａ１、アグリゲーションレベルａ２、アグリゲーションレベルａ３、及びアグリゲーションレベルａ４であり、かつ
各アグリゲーションレベルに対応する候補セットの数はそれぞれｃ１、ｃ２、ｃ３、ｃ４であり、かつ
ユーザ機器がアグリゲーションレベルａ２、アグリゲーションレベルａ３、アグリゲーションレベルａ４のみを検出する場合、各アグリゲーションレベルに対応する候補セットの数はｃ２、ｃ３、ｃ４で、あるいはｄ２、ｄ３、ｄ４であり、
そのうち、ｄ２＋ｄ３＋ｄ４≦ｃ１＋ｃ２＋ｃ３＋ｃ４で、ａ１、ａ２、ａ３、ａ４、ｃ１、ｃ２、ｃ３、ｃ４、ｄ２、ｄ３、ｄ４はいずれも正整数である、
あるいは、前記ユーザ機器が検出するアグリゲーションレベルはアグリゲーションレベルａ１、アグリゲーションレベルａ２、アグリゲーションレベルａ３、及びアグリゲーションレベルａ４であり、かつ
各アグリゲーションレベルに対応する候補セットの数はそれぞれｃ１、ｃ２、ｃ３、ｃ４であり、
そのうち、ｃ１、ｃ２、ｃ３、ｃ４はそれぞれ６、６、２、２、又はそれぞれ８、４、２、２、又はそれぞれ４、８、２、２、又はそれぞれ４、４、４、４、又はそれぞれ４、６、４、２で、ａ１、ａ２、ａ３、ａ４はいずれも正整数である請求項１１に記載のユーザ機器。
【請求項１６】
前記リソースブロック集合に４つのリソースブロックが含まれ、かつ１つのリソースブロックに４つの増強制御チャネルユニットが含まれ、かつ１つの増強制御チャネルユニットに２つのリソースグループが含まれ、かつすべてのリソースグループは＃０から＃３１と番号付けられ、かつアグリゲーションレベルａはｅＰＤＣＣＨに対応するリソースがａ個の増強制御チャネルユニットであることを表し、かつ
前記マッピング方式が離散式マッピングである場合、前記リソースブロック集合で検出されるサブキャリア位置情報は、
アグリゲーションレベルが１の場合、前記リソースブロック集合で検出されるサブキャリア位置情報は｛（＃０，＃１６），（＃２，＃１８）｝、｛（＃１，＃１７），（＃３，＃１９）｝、｛（＃４，＃２０），（＃６，＃２２）｝、｛（＃５，＃２１），（＃７，＃２３）｝、｛（＃８，＃２４），（＃１０，＃２６｝、｛（＃９，＃２５），（＃１１，＃２７）｝、｛（＃１２，＃２８），（＃１４，＃３０）｝、｛（＃１３，＃２９），（＃１５，＃３１）｝、｛（＃０，＃１６），（＃１，＃１７），（＃２，＃１８），（＃３，＃１９）｝、｛（＃４，＃２０），（＃５，＃２１），（＃６，＃２２），（＃７，＃２３）｝、｛（＃８，＃２４），（＃９，＃２５），（＃１０，＃２６），（＃１１，＃２７）｝、｛（＃１２，＃２８），（＃１３，＃２９），（＃１４，＃３０），（＃１５，＃３１）｝の何れか一つ又は組合せのリソースグループに対応するサブキャリアであること、
又は、アグリゲーションレベルが２の場合、前記リソースブロック集合で検出されるサブキャリア位置情報は｛（＃０，＃１，＃１６，＃１７），（＃２，＃３，＃１８，＃１９）｝、｛（＃４，＃５，＃２０，＃２１），（＃６，＃７，＃２２，＃２３）｝、｛（＃８，＃９，＃２４，＃２５），（＃１０，＃１１，＃２６，＃２７）｝、｛（＃１２，＃１３，＃２８，＃２９），（＃１４，＃１５，＃３０，＃３１）｝、｛（＃０，＃８，＃１６，＃２４），（（＃２，＃１０，＃１８，＃２６））｝、｛（＃１，＃９，＃１７，＃２５），（（＃３，＃１１，＃１９，＃２７））｝、｛（＃４，＃１２，＃２０，＃２８），（（＃６，＃１４，＃２２，＃３０））｝、｛（＃５，＃１３，＃２１，＃２９），（（＃７，＃１５，＃２３，＃３１））｝の何れか一つ又は組合せのリソースグループに対応するサブキャリアであることの少なくとも一つである、
あるいは、前記リソースブロック集合に２つのリソースブロックが含まれ、かつ１つのリソースブロックに４つの増強制御チャネルユニットが含まれ、かつ全ての増強制御チャネルユニットは＃０から＃７と番号付けられ、かつアグリゲーションレベルａはｅＰＤＣＣＨに対応するリソースがａ個の増強制御チャネルユニットであることを表し、かつ
前記リソースブロック集合で検出される増強制御チャネルユニット情報は、
前記マッピング方式が連続式マッピングで、且つアグリゲーションレベルが１である場合、前記リソースブロック集合で検出される増強制御チャネルユニット情報は＃０から＃７であること、
又は、前記マッピング方式が連続式マッピングで、且つアグリゲーションレベルが２である場合、前記リソースブロック集合で検出される増強制御チャネルユニット情報は｛＃０，＃１｝、｛＃２，＃３｝、｛＃４，＃５｝、｛＃６，＃７｝であること、
又は、前記マッピング方式が連続式マッピングで、且つアグリゲーションレベルが４である場合、前記リソースブロック集合で検出される増強制御チャネルユニット情報は｛＃０，＃１，＃２，＃３｝、｛＃４，＃５，＃６，＃７｝であること、
又は、前記マッピング方式が離散式マッピングで、且つアグリゲーションレベルが２である場合、前記リソースブロック集合で検出される増強制御チャネルユニット情報は｛＃０，＃４｝、｛＃１，＃５｝、｛＃２，＃６｝、｛＃３，＃７｝であること、
又は、前記マッピング方式が離散式マッピングで、且つアグリゲーションレベルが４である場合、前記リソースブロック集合で検出される増強制御チャネルユニット情報は｛＃０，＃２，＃４，＃６｝、｛＃１，＃３，＃５，＃７｝であることの少なくとも一つである、
あるいは、前記リソースブロック集合に４つのリソースブロックが含まれ、かつ１つのリソースブロックに４つの増強制御チャネルユニットが含まれ、かつ全ての増強制御チャネルユニットは＃０から＃１５と番号付けられ、かつアグリゲーションレベルａはｅＰＤＣＣＨに対応するリソースがａ個の増強制御チャネルユニットであることを表し、かつ
前記リソースブロック集合で検出される増強制御チャネルユニット情報は、
前記マッピング方式が連続式マッピングで、且つアグリゲーションレベルが１である場合、前記リソースブロック集合で検出される増強制御チャネルユニット情報は｛＃０，＃２，＃４，＃６，＃８，＃１０，＃１２，＃１４｝または｛＃１，＃３，＃５，＃７，＃９，＃１１，＃１３，＃１５｝であること、
又は、前記マッピング方式が連続式マッピングで、且つアグリゲーションレベルが２である場合、前記リソースブロック集合で検出される増強制御チャネルユニット情報は｛（＃０，＃１），（＃４，＃５），（＃８，＃９），（＃１２，＃１３）｝、または｛（＃２，＃３），（＃６，＃７），（＃１０，＃１１），（＃１４，＃１５）｝であること、
又は、前記マッピング方式が連続式マッピングで、且つアグリゲーションレベルが４である場合、前記リソースブロック集合で検出される増強制御チャネルユニット情報は｛（＃０，＃１，＃２，＃３），（＃８，＃９，＃１０，＃１１）｝、又は｛（＃４，＃５，＃６，＃７），（＃１２，＃１３，＃１４，＃１５）｝であること、
又は、前記マッピング方式が離散式マッピングで、且つアグリゲーションレベルが２である場合、前記リソースブロック集合で検出される増強制御チャネルユニット情報は｛（＃０，＃８），（＃２，＃１０），（＃４，＃１２），（＃６，＃１４）｝、または｛（＃１，＃９），（＃３，＃１１），（＃５，＃１３），（＃７，＃１５）｝であること、
又は、前記マッピング方式が離散式マッピングで、且つアグリゲーションレベルが４である場合、前記リソースブロック集合で検出される増強制御チャネルユニット情報は｛（＃０，＃４，＃８，＃１２），（＃２，＃６，＃１０，＃１４）｝、又は｛（＃１，＃５，＃９，＃１３），（＃３，＃７，＃１１，＃１５）｝であること、
又は、前記マッピング方式が離散式マッピングで、且つアグリゲーションレベルが８である場合、前記リソースブロック集合で検出される増強制御チャネルユニット情報は｛（＃０，＃２，＃４，＃６，＃８，＃１０，＃１２，＃１４），（＃１，＃３，＃５，＃７，＃８，＃９，＃１１，＃１３）｝であることの少なくとも一つである請求項１１に記載のユーザ機器。
【請求項１７】
異なるサイクリックプレフィックスが異なるアグリゲーションレベルに対応する、又は異なるサイクリックプレフィックスは異なる候補セット数に対応する請求項１１に記載のユーザ機器。
【請求項１８】
基地局がユーザ機器に、配置されたリソースブロック集合と既定義情報とを送信し、前記リソースブロックで増強した物理下り制御チャネルｅＰＤＣＣＨに乗せられている下り制御情報を検出するよう前記ユーザ機器に指示することを含み、前記既定義情報は、前記リソースブロック集合で検出されるサブキャリア位置情報、前記リソースブロック集合で検出される増強制御チャネルユニット情報、ｅＰＤＣＣＨのマッピングモード、前記リソースブロック集合で検出されるアグリゲーションレベル配置情報、前記リソースブロック集合で検出されるアグリゲーションレベルに対応する候補セット数と下り制御情報フォーマットを含み、
前記検出されるアグリゲーションレベルを決定する方式は少なくとも、
前記ユーザ機器が検出されるｅＣＣＥのうちの一つのｅＣＣＥの、下り制御情報を伝送する有効符号レートに基づき、検出すべきアグリゲーションレベル配置を決定する方式１と、
ユーザ機器が検出されるｅＣＣＥのうちの一つのｅＣＣＥの実際に伝送する最大ビット数に基づき、検出すべきアグリゲーションレベル配置を決定する方式２と、
前記ユーザ機器が検出される前記下り制御情報フォーマットの種類に基づき、検出すべきアグリゲーションレベル配置を決定する方式３と、
のいずれか一つを含む下り制御情報送信方法。
【請求項１９】
前記リソースブロック集合におけるリソースブロックの数は、２、４、６、８、１２、１６の何れか一つである請求項１８に記載の方法。
【請求項２０】
異なるサイクリックプレフィックスが異なるアグリゲーションレベルに対応する、又は異なるサイクリックプレフィックスが異なる候補セット数に対応する請求項１８に記載の方法。
【請求項２１】
前記ユーザ機器が検出する前記アグリゲーションレベル配置は配置１及び/又は配置２を含み、
前記配置１はアグリゲーションレベルａ１、アグリゲーションレベルａ２、アグリゲーションレベルａ３、及びアグリゲーションレベルａ４を含み、
前記配置２はアグリゲーションレベルｂ１、アグリゲーションレベルｂ２、アグリゲーションレベルｂ３、及びアグリゲーションレベルｂ４を含み、或いは、前記配置２はアグリゲーションレベルａ２、アグリゲーションレベルａ３、及びアグリゲーションレベルａ４を含み、
ａ１、ａ２、ａ３、ａ４はそれぞれ１、２、４，８であり、
ｂ１、ｂ２、ｂ３、ｂ４はそれぞれ２、４、８、１６、又は２、４、８、１２である請求項１８に記載の方法。
【請求項２２】
前記有効符号レートがＸより大きい場合、配置２が採用され、前記有効符号レートがＸ以下である場合、配置１が採用され、Ｘは予め設定された閾値であり、
前記ｅＣＣＥによって伝送される前記最大ビット数が下り制御情報に含まれるビット数未満である場合、検出すべき前記アグリゲーションレベルは配置１であり、前記ｅＣＣＥによって伝送される最大ビット数が前記下り制御情報に含まれるビット数より大きい場合、検出すべき前記アグリゲーションレベルは配置２である請求項２１に記載の方法。
【請求項２３】
リソースブロック集合と、前記リソースブロック集合で検出されるサブキャリア位置情報、前記リソースブロック集合で検出される増強制御チャネルユニット情報、ｅＰＤＣＣＨのマッピングモード、前記リソースブロック集合で検出されるアグリゲーションレベル配置情報、前記リソースブロック集合で検出されるアグリゲーションレベルに対応する候補セット数と下り制御情報フォーマットを含む既定義情報とを配置するように構成されている配置モジュールと、
ユーザ機器に前記リソースブロック集合と既定義情報とを送信し、前記リソースブロックで増強した物理下り制御チャネルｅＰＤＣＣＨに乗せられている下り制御情報を検出するよう前記ユーザ機器に指示するように構成されている送信モジュールとを含み、
前記検出されるアグリゲーションレベルを決定する方式は少なくとも、
前記ユーザ機器が検出されるｅＣＣＥのうちの一つのｅＣＣＥの、下り制御情報を伝送する有効符号レートに基づき、検出すべきアグリゲーションレベル配置を決定する方式１と、
ユーザ機器が検出されるｅＣＣＥのうちの一つのｅＣＣＥの実際に伝送する最大ビット数に基づき、検出すべきアグリゲーションレベル配置を決定する方式２と、
前記ユーザ機器が検出される前記下り制御情報フォーマットの種類に基づき、検出すべきアグリゲーションレベル配置を決定する方式３と、
のいずれか一つを含む基地局。
【請求項２４】
前記リソースブロック集合におけるリソースブロックの数は、２、４、６、８、１２、１６の何れか一つである請求項２３に記載の基地局。
【請求項２５】
異なるサイクリックプレフィックスが異なるアグリゲーションレベルに対応する、又は異なるサイクリックプレフィックスが異なる候補セット数に対応する請求項２３に記載の基地局。
【請求項２６】
前記ユーザ機器が検出する前記アグリゲーションレベル配置は配置１及び/又は配置２を含み、
前記配置１はアグリゲーションレベルａ１、アグリゲーションレベルａ２、アグリゲーションレベルａ３、及びアグリゲーションレベルａ４を含み、
前記配置２はアグリゲーションレベルｂ１、アグリゲーションレベルｂ２、アグリゲーションレベルｂ３、及びアグリゲーションレベルｂ４を含み、或いは、前記配置２はアグリゲーションレベルａ２、アグリゲーションレベルａ３、及びアグリゲーションレベルａ４を含み、
ａ１、ａ２、ａ３、ａ４はそれぞれ１、２、４，８であり、
ｂ１、ｂ２、ｂ３、ｂ４はそれぞれ２、４、８、１６、又は２、４、８、１２である請求項２３に記載の基地局。
【請求項２７】
前記有効符号レートがＸより大きい場合、配置２が採用され、前記有効符号レートがＸ以下である場合、配置１が採用され、Ｘは予め設定された閾値であり、
前記ｅＣＣＥによって伝送される前記最大ビット数が下り制御情報に含まれるビット数未満である場合、検出すべき前記アグリゲーションレベルは配置１であり、前記ｅＣＣＥによって伝送される最大ビット数が前記下り制御情報に含まれるビット数より大きい場合、検出すべき前記アグリゲーションレベルは配置２である請求項２６に記載の基地局。
【発明の詳細な説明】
【技術分野】
【０００１】
本出願は通信分野に関し、具体的には、下り制御情報の送信方法、検出方法、基地局及びユーザ機器に関する。
【背景技術】
【０００２】
長期間進化（Ｌｏｎｇ  Ｔｅｒｍ  Ｅｖｏｌｕｔｉｏｎ、ＬＴＥ）システムには、２種類のフレーム構造がある。フレーム構造のタイプ１（Ｔｙｐｅ１）は周波数分割複信（Ｆｒｅｑｕｅｎｃｙ  Ｄｉｖｉｓｉｏｎ  Ｄｕｐｌｅｘ，ＦＤＤ）と周波数分割半複信に適用する。それぞれの無線フレームの長さは１０ｍｓで、２０個のタイムスロット（ｓｌｏｔ）からなり、各タイムスロットは０．５ｍｓで、番号は０〜１９である。図１はＦＤＤモードのフレーム構造を示す図である。図１に示すように、一つのサブフレーム（ｓｕｂｆｒａｍｅ）は２つの連続するタイムスロットからなり、例えば、サブフレームｉは２つの連続するタイムスロット２ｉと２ｉ＋１からなる。
【０００３】
フレーム構造のタイプ２（Ｔｙｐｅ２）は時分割複信（ＴＤＤ、Ｔｉｍｅ  Ｄｉｖｉｓｉｏｎ  Ｄｕｐｌｅｘ）に適用する。図２はＴＤＤモードのフレーム構造を示す図である。図２に示すように、一つの無線フレームの長さは１０ｍｓで、二つの長さ５ｍｓのハーフフレーム（ｈａｌｆ−ｆｒａｍｅ）からなる。一つのハーフフレームは五つの長さ１ｍｓのサブフレームからなる。サブフレームは、通常サブフレームと特別サブフレームとがあり、特別サブフレームは、下りパイロットタイムスロット（ＤｗＰＴＳ）、保護間隔（ＧＰ）及び上りパイロットタイムスロット（ＵｐＰＴＳ）からなり、合計長さが１ｍｓである。各サブフレームｉは二つの長さ０．５ｍｓのタイムスロット２ｉと２ｉ＋１からなる。
【０００４】
長期間進化システム及びＬＴＥ−Ａｄａｖａｎｃｅシステムにおいて、下り制御シグナリング（Ｄｏｗｎｌｉｎｋ  Ｃｏｎｔｒｏｌ  Ｉｎｆｏｒｍａｔｉｏｎ、ＤＣＩ）には、端末が把握すべき下り伝送に関するＤＬ  Ｇｒａｎｔ情報とＵＥが把握すべき上り伝送に関するＵＬ  Ｇｒａｎｔ情報などが含まれ、これらの物理層制御シグナリングは物理層制御チャネルＰＤＣＣＨで伝送され、そのうち、ＤＣＩのフォーマット（ＤＣＩ  Ｆｏｒｍａｔ）は、ＤＣＩ  Ｆｏｒｍａｔ  ０、ＤＣＩ  Ｆｏｒｍａｔ  １、ＤＣＩ  Ｆｏｒｍａｔ  １Ａ、ＤＣＩ  Ｆｏｒｍａｔ  １Ｂ、ＤＣＩ  Ｆｏｒｍａｔ  １Ｃ、ＤＣＩ  Ｆｏｒｍａｔ  １Ｄ、ＤＣＩ  Ｆｏｒｍａｔ  ２、ＤＣＩ  Ｆｏｒｍａｔ  ２Ａ、ＤＣＩ  Ｆｏｒｍａｔ  ２Ｂ、ＤＣＩ  Ｆｏｒｍａｔ  ２Ｃ、ＤＣＩ  Ｆｏｒｍａｔ  ３、及びＤＣＩ  Ｆｏｒｍａｔ  ３Ａなどがあり、ＤＣＩ  Ｆｏｒｍａｔ  ｓｉｚｅはシステムの帯域幅が大きくなることにつれて増加する。
【０００５】
ＬＴＥシステムのリリース（Ｒｅｌｅａｓｅ、Ｒと略称）８／９及びＬＴＥ-ＡｄａｖａｎｃｅシステムバージョンのＲ１０において、伝送物理層制御シグナリングの物理層制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）は通常、前からＮ個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）符号に配置されて送信され、当該Ｎ個の符号は通常、制御シグナリングの伝送領域と呼ばれる。ここでは、新しいリリースの新規追加した制御シグナリング伝送領域と区別するために、Ｒ８/９/１０の制御シグナリング伝送領域は本発明において、第１の制御シグナリング伝送領域と呼ばれる。
【０００６】
第１の制御シグナリング伝送領域の利用可能な伝送リソースは、複数のＣＣＥリソースエレメントに分けられ、制御情報が占めるリソースはＣＣＥ単位で割当てられ、ここのリソースエレメントＣＣＥはさらに複数のＲＥＧｓに細かく分けられることができ、一つのＣＣＥは複数の連続しないＲＥＧｓからなり、通常の場合、一つのＣＣＥは９つのＲＥＧｓから構成され、さらに各ＲＥＧは４つの基本的なリソースエレメントからなり、一つの基本的なリソースエレメントは一つの変調符号を乗せ、ＱＰＳＫ変調がサンプリングされる場合、一つのＣＣＥは７２ビットを乗せることができる。
【０００７】
一つのＰＤＣＣＨは四種類のアグリゲーションレベル（Ａｇｇｒｅｇａｔｉｏｎ  Ｌｅｖｅｌ）があり、四種類のアグリゲーションレベルはそれぞれ一つのＰＤＣＣＨが１、２、４又は８個のＣＣＥを占用することに対応し、アグリゲーションレベル１、アグリゲーションレベル２、アグリゲーションレベル４及びアグリゲーションレベル８と呼ばれ、即ちＰＤＣＣＨの四種類のフォーマットに対応する。つまり、アグリゲーションレベルは物理下り制御チャネルの占める物理リソースの大きさを表す。それぞれのアグリゲーションレベルはｇ個の候補セット、即ちｇ個の、ＰＤＣＣＨを伝送可能な位置に対応する。ユーザ機器は第１の制御シグナリング伝送領域の各アグリゲーションレベルに対応する候補セット位置で前記四つのアグリゲーションレベルをブラインド検出し、ＰＤＣＣＨが伝送されているか否かを確定し、対応する下り制御情報を取得する。
【０００８】
Ｒ１０以降のリリースにおいて、制御チャネルの伝送容量を高め、より多くのユーザの制御シグナリングをサポートするために、新しい制御チャネル領域を開拓するとともに、同一のＵＥの制御シグナリング伝送リソースが連続する時間周波数リソースであるように設計することで、閉ループプリコーディング技術をサポートし、制御情報の伝送性能を高めることができる。
【０００９】
図３に、新しいリリースと古いリリースの制御シグナリング領域が示され、新しいリリースの制御シグナリングは元のＲ８/９/１０のＰＤＳＣＨ伝送領域で一部の伝送リソースを第２の制御シグナリング伝送領域用に区画することで、制御シグナリングの伝送時、閉ループプリコーディング技術をサポートし、制御シグナリングの容量を高め、より多くのユーザの制御シグナリングをサポートできるようにする。
【００１０】
ここで、第２の制御シグナリング伝送領域において、Ｒ１０における専有の復調パイロット（ＤＭＲＳ）を再利用して制御シグナリングを復調することで、プリコーディング技術をよくサポートすることができる。また、第２の制御シグナリング伝送領域はＲＢを単位にするもので、干渉協調をスムーズに行うことができる。
【００１１】
また、伝送のロバスト性や、チャネル情報がない場合を考慮して、第２の制御シグナリング伝送領域において、ＤＭＲＳは、例えばＳＦＢＣ技術のような開ループのダイバーシティ技術、または開ループプリコーディング技術をサポートすることもできる。
【００１２】
本発明の背景をよりよく理解するために、以下、ＬＴＥ-Ａのリソース定義について、簡単に説明する。ＬＴＥの一つのリソースエレメント（Ｒｅｓｏｕｒｃｅ  Ｅｌｅｍｅｎｔ、ＲＥ）は一つのＯＦＤＭ符号上の一つのサブキャリアで、一つの下り物理リソースブロック（Ｒｅｓｏｕｒｃｅ  Ｂｌｏｃｋ、ＲＢ）は連続した１２個のサブキャリアと連続した１４個（拡張されたサイクリックプレフィックスの場合、１２個）ＯＦＤＭ符号からなり、周波数領域において１８０ｋＨｚで、時間領域において一つの通常のタイムスロットのタイム長さ、即ち１ｍｓである。図４に示すとおりである（一つの５Ｍシステム）。
【００１３】
第２の制御シグナリング伝送領域において下り制御情報を伝送するために、ＣＣＥを改めて定義する必要があり、即ち、ｅＣＣＥである。ＣＣＥの大きさの定義は主に、Ｒ８の定義、即ち３６個のリソースエレメントのままと、１つの物理リソースブロックに含まれるリソースエレメントのｎ分の一との２種類の考え方がある。
【００１４】
既存技術に存在する問題は、第２の制御シグナリング領域の大きさが第１の制御シグナリング領域の大きさによって制限され、且つ、第２の制御シグナリング領域において、例えばＣＲＳ、ＰＳＳ／ＳＳＳ、ＰＢＣＨ、ＰＲＳ、ＣＳＩ−ＲＳ、ＤＭ−ＲＳ、ＰＲＳなどの他の信号が伝送されている可能性があるため、ｅＣＣＥにおいて実際に下り制御情報を伝送可能な有効ビット数が減少し、ｅＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）の有効符号レートが大きくなり、符号レートが１を超え、下り制御情報が正しくデコードできなくなり、これにより、ユーザ機器が依然としてＬＴＥシステムに定義された四つのアグリゲーションレベルに従いブラインド検出を行う場合、大量のブラインド検出が無駄になり、検索スペースの拡張が制限され、下り制御情報のスケジューリングのブロッキング率が増えている、ということである。
【発明の概要】
【発明が解決しようとする課題】
【００１５】
本発明は、少なくとも上記従来の下り制御情報のマッピングモードによるユーザ機器の検出リソースの無駄使いという課題を解決する下り制御情報の送信方法、検出方法、基地局及びユーザ機器を提供する。
【課題を解決するための手段】
【００１６】
本発明の一態様によると、ユーザ機器が基地局によって配置されたリソースブロック集合と既定義情報に基づき、リソースブロックで増強した物理下り制御チャネルｅＰＤＣＣＨに乗せられている下り制御情報を検出することを含み、既定義情報は、少なくともリソースブロック集合で検出されるサブキャリア位置情報、リソースブロック集合で検出される増強制御チャネルユニット情報、ｅＰＤＣＣＨのマッピングモード、リソースブロック集合で検出されるアグリゲーションレベル配置情報、リソースブロック集合で検出されるアグリゲーションレベルに対応する候補セットの数と下り制御情報フォーマットの何れか１つを含む下り制御情報検出方法を提供する。
【００１７】
リソースブロック集合におけるリソースブロックの数は、２、４、６、８、１２、１６のいずれか１つであることが好ましい。
【００１８】
リソースブロック集合に含まれるリソースブロックの数が４より大きい場合、ユーザ機器は２又は４個のリソースブロックを、検出されるリソースブロック集合として選択することが好ましい。
【００１９】
ｅＰＤＣＣＨのマッピングモードは連続式マッピング及び／又は離散式マッピングを含むことが好ましい。
【００２０】
下り制御情報フォーマットは下り制御情報に対応するデータのマッピングモードによって決定されることが好ましい。
【００２１】
同一種類のアグリゲーションレベルのｅＰＤＣＣＨは、同一種類のマッピングモードとして配置されることが好ましい。
【００２２】
アグリゲーションレベルに対応するリソースの大きさにより、すべてのアグリゲーションレベルを小さい順で配列すると、Ｎ１、Ｎ２…Ｎｐになり、ｐは正整数であり、そのうち、アグリゲーションレベルＮ１、Ｎ２…Ｎｑに対応するｅＰＤＣＣＨは連続式マッピングに配置され、アグリゲーションレベルＮ（ｑ＋１）…Ｎｐに対応するｅＰＤＣＣＨは離散式マッピングに配置され、ｑは正整数であることが好ましい。
ｑは基地局によって配置されることが好ましい。
【００２３】
ＴＤＤシステムに対して、ユーザ機器は特別サブフレームと通常サブフレームで異なるアグリゲーションレベル集合を検出することが好ましい。
【００２４】
ＴＤＤシステムに対して、特別サブフレームにおいて、ユーザ機器は特別サブフレームの配置に基づき、検出されるアグリゲーションレベル集合を決定することが好ましい。
【００２５】
検出されるアグリゲーションレベルを決定する方式は少なくとも、ユーザ機器が検出されたｅＣＣＥのうちの一つのｅＣＣＥの、下り制御情報を伝送する有効符号レートに基づき検出すべきアグリゲーションレベル配置を決定する方式１と、ユーザ機器が検出されたｅＣＣＥのうちの一つのｅＣＣＥの、実際に伝送する最大ビット数に基づき検出すべきアグリゲーションレベル配置を決定する方式２と、ユーザ機器が検出された下り制御情報フォーマットの種類に基づき検出すべきアグリゲーションレベル配置を決定する方式３と、基地局によって前記ユーザ機器が検出するアグリゲーションレベルを配置する方式４とのいずれか一つを含むことが好ましい。
【００２６】
ユーザ機器が検出するアグリゲーションレベルは、アグリゲーションレベルａ１、アグリゲーションレベルａ２、アグリゲーションレベルａ３、及びアグリゲーションレベルａ４であり、各アグリゲーションレベルに対応する候補セットの数はそれぞれｃ１、ｃ２、ｃ３、ｃ４で、ユーザ機器がアグリゲーションレベルａ２、アグリゲーションレベルａ３、アグリゲーションレベルａ４のみを検出する場合、各アグリゲーションレベルに対応する候補セットの数はｃ２、ｃ３、ｃ４で、あるいはｄ２、ｄ３、ｄ４であり、そのうち、ｄ２＋ｄ３＋ｄ４≦ｃ１＋ｃ２＋ｃ３＋ｃ４で、ａ１、ａ２、ａ３、ａ４、ｃ１、ｃ２、ｃ３、ｃ４、ｄ２、ｄ３、ｄ４はいずれも正整数であることが好ましい。
【００２７】
ユーザ機器が検出するアグリゲーションレベルはアグリゲーションレベルａ１、アグリゲーションレベルａ２、アグリゲーションレベルａ３、及びアグリゲーションレベルａ４であり、各アグリゲーションレベルに対応する候補セットの数はそれぞれｃ１、ｃ２、ｃ３、ｃ４で、そのうち、ｃ１、ｃ２、ｃ３、ｃ４はそれぞれ６、６、２、２、又はそれぞれ８、４、２、２、又はそれぞれ４、８、２、２、又はそれぞれ４、４、４、４、又はそれぞれ４、６、４、２であることが好ましい。
【００２８】
リソースブロック集合に４つのリソースブロックが含まれ、１つのリソースブロックに４つの増強制御チャネルユニットが含まれ、１つの増強制御チャネルユニットに２つのリソースグループが含まれ、すべてのリソースグループの番号は＃０から＃３１であり、アグリゲーションレベルａはｅＰＤＣＣＨに対応するリソースがａ個の増強制御チャネルユニットであることを表し、マッピング方式が離散式マッピングである場合、リソースブロック集合で検出されるサブキャリア位置情報は、
アグリゲーションレベルが１の場合、リソースブロック集合で検出されるサブキャリア位置情報は、｛（＃０，＃１６），（＃２，＃１８）｝、｛（＃１，＃１７），（＃３，＃１９）｝、｛（＃４，＃２０），（＃６，＃２２）｝、｛（＃５，＃２１），（＃７，＃２３）｝、｛（＃８，＃２４），（＃１０，＃２６｝、｛（＃９，＃２５），（＃１１，＃２７）｝、｛（＃１２，＃２８），（＃１４，＃３０）｝、｛（＃１３，＃２９），（＃１５，＃３１）｝、｛（＃０，＃１６），（＃１，＃１７），（＃２，＃１８），（＃３，＃１９）｝、｛（＃４，＃２０），（＃５，＃２１），（＃６，＃２２），（＃７，＃２３）｝、｛（＃８，＃２４），（＃９，＃２５），（＃１０，＃２６），（＃１１，＃２７）｝、｛（＃１２，＃２８），（＃１３，＃２９），（＃１４，＃３０），（＃１５，＃３１）｝の何れか一つ又は組合せのリソースグループに対応するサブキャリアであること、
又は、アグリゲーションレベルが２の場合、リソースブロック集合で検出されるサブキャリア位置情報は｛（＃０，＃１，＃１６，＃１７），（＃２，＃３，＃１８，＃１９）｝、｛（＃４，＃５，＃２０，＃２１），（＃６，＃７，＃２２，＃２３）｝，｛（＃８，＃９，＃２４，＃２５）、（＃１０，＃１１，＃２６，＃２７）｝，｛（＃１２，＃１３，＃２８，＃２９），（＃１４，＃１５，＃３０，＃３１）｝、｛（＃０，＃８，＃１６，＃２４），（（＃２，＃１０，＃１８，＃２６））｝、｛（＃１，＃９，＃１７，＃２５），（（＃３，＃１１，＃１９，＃２７））｝、｛（＃４，＃１２，＃２０，＃２８），（（＃６，＃１４，＃２２，＃３０））｝、｛（＃５，＃１３，＃２１，＃２９），（（＃７，＃１５，＃２３，＃３１））｝の何れか一つ又は組合せのリソースグループに対応するサブキャリアであることの少なくとも一つであることが好ましい。
【００２９】
リソースブロック集合に２つのリソースブロックが含まれ、１つのリソースブロックに４つの増強制御チャネルユニットが含まれ、全ての増強制御チャネルユニットは＃０から＃７と番号付けられ、アグリゲーションレベルａはｅＰＤＣＣＨに対応するリソースがａ個の増強制御チャネルユニットであることを表し、リソースブロック集合で検出される増強制御チャネルユニット情報は、
マッピング方式が連続式マッピングで、且つアグリゲーションレベルが１である場合、リソースブロック集合で検出される増強制御チャネルユニット情報は＃０から＃７であること、
又は、マッピング方式が連続式マッピングで、且つアグリゲーションレベルが２である場合、リソースブロック集合で検出される増強制御チャネルユニット情報は｛＃０，＃１｝、｛＃２，＃３｝、｛＃４，＃５｝、｛＃６，＃７｝であること、
又は、マッピング方式が連続式マッピングで、且つアグリゲーションレベルが４である場合、リソースブロック集合で検出される増強制御チャネルユニット情報は｛＃０，＃１，＃２，＃３｝、｛＃４，＃５，＃６，＃７｝であること、
又は、マッピング方式が離散式マッピングで、且つアグリゲーションレベルが２である場合、リソースブロック集合で検出される増強制御チャネルユニット情報は｛＃０，＃４｝，｛＃１，＃５｝、｛＃２，＃６｝、｛＃３，＃７｝であること、
又は、マッピング方式が離散式マッピングで、且つアグリゲーションレベルが４である場合、リソースブロック集合で検出される増強制御チャネルユニット情報は｛＃０，＃２，＃４，＃６｝、｛＃１，＃３，＃５，＃７｝であることの少なくとも一つであることが好ましい。
【００３０】
リソースブロック集合に４つのリソースブロックが含まれ、１つのリソースブロックに４つの増強制御チャネルユニットが含まれ、全ての増強制御チャネルユニットは＃０から＃１５と番号付けられ、アグリゲーションレベルａはｅＰＤＣＣＨに対応するリソースがａ個の増強制御チャネルユニットであることを表し、リソースブロック集合で検出される増強制御チャネルユニット情報は、
マッピング方式が連続式マッピングで、且つアグリゲーションレベルが１である場合、リソースブロック集合で検出される増強制御チャネルユニット情報は、｛＃０，＃２，＃４，＃６，＃８，＃１０，＃１２，＃１４｝または｛＃１，＃３，＃５，＃７，＃９，＃１１，＃１３，＃１５｝であること、
又は、マッピング方式が連続式マッピングで、且つアグリゲーションレベルが２である場合、リソースブロック集合で検出される増強制御チャネルユニット情報は｛（＃０，＃１），（＃４，＃５），（＃８，＃９），（＃１２，＃１３）｝、または｛（＃２，＃３），（＃６，＃７），（＃１０，＃１１），（＃１４，＃１５）｝であること、
又は、マッピング方式が連続式マッピングで、且つアグリゲーションレベルが４である場合、リソースブロック集合で検出される増強制御チャネルユニット情報は｛（＃０，＃１，＃２，＃３），（＃８，＃９，＃１０，＃１１）｝、又は｛（＃４，＃５，＃６，＃７），（＃１２，＃１３，＃１４，＃１５）｝であること、
又は、マッピング方式が離散式マッピングで、且つアグリゲーションレベルが２である場合、リソースブロック集合で検出される増強制御チャネルユニット情報は｛（＃０，＃８），（＃２，＃１０），（＃４，＃１２），（＃６，＃１４）｝、または｛（＃１，＃９），（＃３，＃１１），（＃５，＃１３），（＃７，＃１５）｝であること、
又は、マッピング方式が離散式マッピングで、且つアグリゲーションレベルが４である場合、リソースブロック集合で検出される増強制御チャネルユニット情報は｛（＃０，＃４，＃８，＃１２），（＃２，＃６，＃１０，＃１４）｝、又は｛（＃１，＃５，＃９，＃１３），（＃３，＃７，＃１１，＃１５）｝であること、
又は、マッピング方式が離散式マッピングで、且つアグリゲーションレベルが８である場合、リソースブロック集合で検出される増強制御チャネルユニット情報は｛（＃０，＃２，＃４，＃６，＃８，＃１０，＃１２，＃１４），（＃１，＃３，＃５，＃７，＃８，＃９，＃１１，＃１３）｝であることの少なくとも一つであることが好ましい。
【００３１】
まずは時間領域、その後は周波数領域というように、１つ又は２つのリソースエレメントを粒度にしてリソースを分割することが好ましい。
【００３２】
周波数領域サブキャリアによりグルーピングし、異なるグループにおけるリソース分割方法が異なることが好ましい。
【００３３】
異なるサイクリックプレフィックスが異なるアグリゲーションレベルに対応する、又は異なるサイクリックプレフィックスが異なる候補セット数に対応することが好ましい。
【００３４】
本発明の他の一態様によると、基地局によって配置されたリソースブロック集合と、少なくともリソースブロック集合で検出されるサブキャリア位置情報、リソースブロック集合で検出される増強制御チャネルユニット情報、ｅＰＤＣＣＨのマッピングモード、リソースブロック集合で検出されるアグリゲーションレベル配置情報、リソースブロック集合で検出されるアグリゲーションレベルに対応する候補セット数と下り制御情報フォーマットの何れか一つを含む既定義情報とを受信するように構成されている受信モジュールと、リソースブロック集合と既定義情報に基づき、リソースブロックで増強した物理下り制御チャネルｅＰＤＣＣＨに乗せられている下り制御情報を検出するように構成されている検出モジュールとを含むユーザ機器を提供する。
【００３５】
リソースブロック集合におけるリソースブロックの数は、２、４、６、８、１２、１６の何れか一つであることが好ましい。
【００３６】
リソースブロック集合に含まれるリソースブロックの数が４より大きい場合、ユーザ機器は２又は４個のリソースブロックを、検出されるリソースブロック集合として選択することが好ましい。
【００３７】
ＴＤＤシステムに対して、ユーザ機器は特別サブフレームと通常サブフレームで異なるアグリゲーションレベル集合を検出することが好ましい。
【００３８】
ＴＤＤシステムに対して、特別サブフレームにおいて、ユーザ機器は特別サブフレームの配置に基づき、検出されるアグリゲーションレベル集合を決定することが好ましい。
【００３９】
検出されるアグリゲーションレベルを決定する方式は少なくとも、ユーザ機器が検出されたｅＣＣＥのうちの一つのｅＣＣＥの、下り制御情報を伝送する有効符号レートに基づき検出すべきアグリゲーションレベル配置を決定する方式１と、ユーザ機器が検出されたｅＣＣＥのうちの一つのｅＣＣＥの実際に伝送する最大ビット数に基づき検出すべきアグリゲーションレベル配置を決定する方式２と、ユーザ機器が検出された下り制御情報フォーマットの種類に基づき検出すべきアグリゲーションレベル配置を決定する方式３と、基地局によって前記ユーザ機器が検出するアグリゲーションレベルを配置する方式４とのいずれか一つを含むことが好ましい。
【００４０】
ユーザ機器が検出するアグリゲーションレベルは、アグリゲーションレベルａ１、アグリゲーションレベルａ２、アグリゲーションレベルａ３、及びアグリゲーションレベルａ４であり、各アグリゲーションレベルに対応する候補セットの数はそれぞれｃ１、ｃ２、ｃ３、ｃ４で、ユーザ機器がアグリゲーションレベルａ２、アグリゲーションレベルａ３、アグリゲーションレベルａ４のみを検出する場合、各アグリゲーションレベルに対応する候補セットの数はｃ２、ｃ３、ｃ４で、あるいはｄ２、ｄ３、ｄ４であり、そのうち、ｄ２＋ｄ３＋ｄ４≦ｃ１＋ｃ２＋ｃ３＋ｃ４で、ａ１、ａ２、ａ３、ａ４、ｃ１、ｃ２、ｃ３、ｃ４、ｄ２、ｄ３、ｄ４はいずれも正整数であることが好ましい。
【００４１】
ユーザ機器が検出するアグリゲーションレベルは、アグリゲーションレベルａ１、アグリゲーションレベルａ２、アグリゲーションレベルａ３、及びアグリゲーションレベルａ４であり、各アグリゲーションレベルに対応する候補セットの数はそれぞれｃ１、ｃ２、ｃ３、ｃ４で、そのうち、ｃ１、ｃ２、ｃ３、ｃ４はそれぞれ６、６、２、２、又はそれぞれ８、４、２、２、又はそれぞれ４、８、２、２、又はそれぞれ４、４、４、４、又はそれぞれ４、６、４、２であることが好ましい。
【００４２】
リソースブロック集合に４つのリソースブロックが含まれ、１つのリソースブロックに４つの増強制御チャネルユニットが含まれ、１つの増強制御チャネルユニットに２つのリソースグループが含まれ、すべてのリソースグループの番号は＃０から＃３１であり、アグリゲーションレベルａはｅＰＤＣＣＨに対応するリソースがａ個の増強制御チャネルユニットであることを表し、マッピング方式が離散式マッピングである場合、リソースブロック集合で検出されるサブキャリア位置情報は、
アグリゲーションレベルが１の場合、リソースブロック集合で検出されるサブキャリア位置情報は、｛（＃０，＃１６），（＃２，＃１８）｝、｛（＃１，＃１７），（＃３，＃１９）｝、｛（＃４，＃２０），（＃６，＃２２）｝、｛（＃５，＃２１），（＃７，＃２３）｝、｛（＃８，＃２４），（＃１０，＃２６｝、｛（＃９，＃２５），（＃１１，＃２７）｝、｛（＃１２，＃２８），（＃１４，＃３０）｝、｛（＃１３，＃２９），（＃１５，＃３１）｝、｛（＃０，＃１６），（＃１，＃１７），（＃２，＃１８），（＃３，＃１９）｝、｛（＃４，＃２０），（＃５，＃２１），（＃６，＃２２），（＃７，＃２３）｝、｛（＃８，＃２４），（＃９，＃２５），（＃１０，＃２６），（＃１１，＃２７）｝、｛（＃１２，＃２８），（＃１３，＃２９），（＃１４，＃３０），（＃１５，＃３１）｝の何れか一つ又は組合せのリソースグループに対応するサブキャリアであること、
又は、アグリゲーションレベルが２の場合、リソースブロック集合で検出されるサブキャリア位置情報は｛（＃０，＃１，＃１６，＃１７），（＃２，＃３，＃１８，＃１９）｝、｛（＃４，＃５，＃２０，＃２１），（＃６，＃７，＃２２，＃２３）｝、｛（＃８，＃９，＃２４，＃２５），（＃１０，＃１１，＃２６，＃２７）｝、｛（＃１２，＃１３，＃２８，＃２９），（＃１４，＃１５，＃３０，＃３１）｝、｛（＃０，＃８，＃１６，＃２４），（（＃２，＃１０，＃１８，＃２６））｝、｛（＃１，＃９，＃１７，＃２５），（（＃３，＃１１，＃１９，＃２７））｝、｛（＃４，＃１２，＃２０，＃２８），（（＃６，＃１４，＃２２，＃３０））｝、｛（＃５，＃１３，＃２１，＃２９），（（＃７，＃１５，＃２３，＃３１））｝の何れか一つ又は組合せのリソースグループに対応するサブキャリアであることの少なくとも一つであることが好ましい。
【００４３】
リソースブロック集合に２つのリソースブロックが含まれ、１つのリソースブロックに４つの増強制御チャネルユニットが含まれ、全ての増強制御チャネルユニットは＃０から＃７と番号付けられ、アグリゲーションレベルａはｅＰＤＣＣＨに対応するリソースがａ個の増強制御チャネルユニットであることを表し、リソースブロック集合で検出される増強制御チャネルユニット情報は、
マッピング方式が連続式マッピングで、且つアグリゲーションレベルが１である場合、リソースブロック集合で検出される増強制御チャネルユニット情報は＃０から＃７であること、
又は、マッピング方式が連続式マッピングで、且つアグリゲーションレベルが２である場合、リソースブロック集合で検出される増強制御チャネルユニット情報は｛＃０，＃１｝、｛＃２，＃３｝、｛＃４，＃５｝、｛＃６，＃７｝であること、
又は、マッピング方式が連続式マッピングで、且つアグリゲーションレベルが４である場合、リソースブロック集合で検出される増強制御チャネルユニット情報は｛＃０，＃１，＃２，＃３｝、｛＃４，＃５，＃６，＃７｝であること、
又は、マッピング方式が離散式マッピングで、且つアグリゲーションレベルが２である場合、リソースブロック集合で検出される増強制御チャネルユニット情報は｛＃０，＃４｝、｛＃１，＃５｝、｛＃２，＃６｝、｛＃３，＃７｝であること、
又は、マッピング方式が離散式マッピングで、且つアグリゲーションレベルが４である場合、リソースブロック集合で検出される増強制御チャネルユニット情報は｛＃０，＃２，＃４，＃６｝、｛＃１，＃３，＃５，＃７｝であることの少なくとも一つであることが好ましい。
【００４４】
リソースブロック集合に４つのリソースブロックが含まれ、１つのリソースブロックに４つの増強制御チャネルユニットが含まれ、全ての増強制御チャネルユニットは＃０から＃１５と番号付けられ、アグリゲーションレベルａはｅＰＤＣＣＨに対応するリソースがａ個の増強制御チャネルユニットであることを表し、リソースブロック集合で検出される増強制御チャネルユニット情報は、
マッピング方式が連続式マッピングで、且つアグリゲーションレベルが１である場合、リソースブロック集合で検出される増強制御チャネルユニット情報は、｛＃０，＃２，＃４，＃６，＃８，＃１０，＃１２，＃１４｝または｛＃１，＃３，＃５，＃７，＃９，＃１１，＃１３，＃１５｝であること、
又は、マッピング方式が連続式マッピングで、且つアグリゲーションレベルが２である場合、リソースブロック集合で検出される増強制御チャネルユニット情報は｛（＃０，＃１），（＃４，＃５），（＃８，＃９），（＃１２，＃１３）｝、または｛（＃２，＃３），（＃６，＃７），（＃１０，＃１１），（＃１４，＃１５）｝であること、
又は、マッピング方式が連続式マッピングで、且つアグリゲーションレベルが４である場合、リソースブロック集合で検出される増強制御チャネルユニット情報は｛（＃０，＃１，＃２，＃３），（＃８，＃９，＃１０，＃１１）｝、又は｛（＃４，＃５，＃６，＃７），（＃１２，＃１３，＃１４，＃１５）｝であること、
又は、マッピング方式が離散式マッピングで、且つアグリゲーションレベルが２である場合、リソースブロック集合で検出される増強制御チャネルユニット情報は｛（＃０，＃８），（＃２，＃１０），（＃４，＃１２），（＃６，＃１４）｝、または｛（＃１，＃９），（＃３，＃１１），（＃５，＃１３），（＃７，＃１５）｝であること、
又は、マッピング方式が離散式マッピングで、且つアグリゲーションレベルが４である場合、リソースブロック集合で検出される増強制御チャネルユニット情報は｛（＃０，＃４，＃８，＃１２），（＃２，＃６，＃１０，＃１４）｝、又は｛（＃１，＃５，＃９，＃１３），（＃３，＃７，＃１１，＃１５）｝であること、
又は、マッピング方式が離散式マッピングで、且つアグリゲーションレベルが８である場合、リソースブロック集合で検出される増強制御チャネルユニット情報は｛（＃０，＃２，＃４，＃６，＃８，＃１０，＃１２，＃１４），（＃１，＃３，＃５，＃７，＃８，＃９，＃１１，＃１３）｝であることの少なくとも一つであることが好ましい。
【００４５】
異なるサイクリックプレフィックスが異なるアグリゲーションレベルに対応する、又は異なるサイクリックプレフィックスが異なる候補セット数に対応することが好ましい。
【００４６】
本発明の他の一態様によると、基地局がユーザ機器に、配置されたリソースブロック集合と既定義情報とを送信し、リソースブロックで増強した物理下り制御チャネルｅＰＤＣＣＨに乗せられている下り制御情報を検出するようユーザ機器に指示することを含み、既定義情報は少なくともリソースブロック集合で検出されるサブキャリア位置情報、リソースブロック集合で検出される増強制御チャネルユニット情報、ｅＰＤＣＣＨのマッピングモード、リソースブロック集合で検出されるアグリゲーションレベル配置情報、リソースブロック集合で検出されるアグリゲーションレベルに対応する候補セット数と下り制御情報フォーマットの何れか一つを含む下り制御情報送信方法を提供する。
【００４７】
リソースブロック集合におけるリソースブロックの数は、２、４、６、８、１２、１６の何れか一つであることが好ましい。
【００４８】
異なるサイクリックプレフィックスが異なるアグリゲーションレベルに対応する、又は異なるサイクリックプレフィックスが異なる候補セット数に対応することが好ましい。
【００４９】
本発明の他の一態様によると、リソースブロック集合と、少なくともリソースブロック集合で検出されるサブキャリア位置情報、リソースブロック集合で検出される増強制御チャネルユニット情報、ｅＰＤＣＣＨのマッピングモード、リソースブロック集合で検出されるアグリゲーションレベル配置情報、リソースブロック集合で検出されるアグリゲーションレベルに対応する候補セット数と下り制御情報フォーマットの何れか一つを含む既定義情報とを配置するように構成されている配置モジュールと、ユーザ機器にリソースブロック集合と既定義情報とを送信し、リソースブロックで増強した物理下り制御チャネルｅＰＤＣＣＨに乗せられている下り制御情報を検出するようユーザ機器に指示するように構成されている送信モジュールとを含む基地局を提供する。
【００５０】
リソースブロック集合におけるリソースブロックの数は、２、４、６、８、１２、１６の何れか一つであることが好ましい。
【００５１】
異なるサイクリックプレフィックスが異なるアグリゲーションレベルに対応する、又は異なるサイクリックプレフィックスが異なる候補セット数に対応することが好ましい。
【００５２】
本発明では、基地局によって配置されたリソースブロック集合と既定義情報によって、対応する物理リソースブロックでｅＰＤＣＣＨに乗せられている下り制御情報を検出するようユーザ機器に融通自在に指示し、これにより、ユーザ機器の検索スペースを検出するリソースを節約でき、システムのスケジューリング能率を高める。
以下に記載の図面は、本発明をさらに理解するために提供され、本願の一部を構成し、本発明の例示な実施例及びその説明は本発明を解釈するものであり、本発明を不当に限定するものではない。
【図面の簡単な説明】
【００５３】
【図１】関連技術に係るＦＤＤモードのフレーム構造を示す図である。
【図２】関連技術に係るＴＤＤモードのフレーム構造を示す図である。
【図３】関連技術に係る新旧リリースの制御シグナリング領域分布を示す図である。
【図４】関連技術に係るＬＴＥ−Ａのリソースブロックを示す図である。
【図５】本発明の実施例に係る下り制御情報検出方法を示すフローチャートである。
【図６】本発明の実施例に係るユーザ機器の構成を示すブロック図である。
【図７】本発明の実施例に係る下り制御情報送信方法を示すフローチャートである。
【図８】本発明の実施例に係る基地局の構成を示すブロック図である。
【図９】本発明の実施例１に係る、アグリゲーションレベルが１の場合における、リソースグループに対応するサブキャリアを示す図である。
【図１０】本発明の実施例１に係る、アグリゲーションレベルが１の場合における、リソースグループに対応するサブキャリアを示す図である。
【図１１】本発明の実施例１に係る、アグリゲーションレベルが２の場合における、リソースグループに対応するサブキャリアを示す図である。
【図１２】本発明の実施例１に係る、アグリゲーションレベルが２の場合における、リソースグループに対応するサブキャリアを示す図である。
【図１３】本発明の実施例１に係る、アグリゲーションレベルが２の場合における、リソースグループに対応するサブキャリアを示す図である。
【図１４】本発明の実施例１に係る、ＰＲＢｓｅｔに基づいたｅＰＤＣＣＨ連続式マッピングの検索スペースを示す図である。
【図１５】本発明の実施例１に係る、ＰＲＢｓｅｔに基づいたＤ（離散式マッピング）検索スペースを示す図である。
【図１６】本発明の実施例１に係る、ＰＲＢｓｅｔと配置シグナリングに基づいたＬ（連続式マッピング）検索スペースを示す図である。
【図１７】本発明の実施例１に係る、ＰＲＢｓｅｔと配置シグナリングに基づいたＤ検索スペース（ｅＣＣＥ離散に基づく）を示す図である。
【図１８】本発明の実施例１に係る、ＰＲＢｓｅｔと配置シグナリングに基づいたＤ検索スペース（ｅＣＣＥ離散に基づく）を示す図である。
【図１９】本発明の実施例１に係る、ＰＲＢｓｅｔと配置シグナリングに基づいたＤ検索スペース（ｅＲＥＧ離散に基づく）を示す図である。
【図２０】本発明の実施例１に係る、ＰＲＢｓｅｔと配置シグナリングに基づいたＤ検索スペース（ｅＲＥＧ離散に基づく）を示す図である。
【図２１】本発明の実施例１に係る、一つのリソースブロックが四つのｅＣＣＥに分けられたことを示す図である。
【図２２】本発明の実施例１に係る、一つのリソースブロックが八つのｅＣＣＥに分けられたことを示す図である。
【発明を実施するための形態】
【００５４】
以下、図面を参照しながら、実施例を結合して本発明を詳しく説明する。なお、衝突がない場合、本出願の実施例及び実施例における特徴は互いに組合せることができる。
【００５５】
図５は本発明の実施例に係る下り制御情報検出方法を示すフローチャート図である。図５に示すように、
ユーザ機器が、基地局によって配置されたリソースブロック集合と、少なくともリソースブロック集合で検出されるサブキャリア位置情報、リソースブロック集合で検出される増強制御チャネルユニット情報、ｅＰＤＣＣＨのマッピングモード、リソースブロック集合で検出されるアグリゲーションレベル配置情報、リソースブロック集合で検出されるアグリゲーションレベルに対応する候補セットの数と下り制御情報フォーマットの何れか一つを含む既定義情報を受信すること（ステップＳ５０２）と、
ユーザ機器が、リソースブロック集合と既定義情報に基づき、リソースブロックで増強された物理下り制御チャネルｅＰＤＣＣＨに乗せられている下り制御情報を検出すること（ステップＳ５０４）とを含む。
【００５６】
本実施例において、基地局によって配置されたリソースブロック集合と既定義情報によって、対応する物理リソースブロックでｅＰＤＣＣＨに乗せられている下り制御情報を検出するようユーザ機器に融通自在に指示し、これにより、ユーザ機器の検索スペースを検出するリソースを節約でき、システムのスケジューリング能率を高める。
【００５７】
そのうち、上記実施例において、リソースブロック集合に含まれるリソースブロックの数は、２個、４個、６個、８個、１２個、１６個であることができるが、上記値に限らない。リソースブロック集合における位置情報はリソースブロック集合におけるサブキャリア位置情報を含む。ｅＰＤＣＣＨのマッピングモードは、連続式マッピングと離散式マッピングとを含む。候補セット配置は、ユーザ専有の検索スペースにおけるアグリゲーションレベルに対応する候補セットの数を含む。アグリゲーションレベル配置情報は、ユーザ専有の検索スペースにおけるアグリゲーションレベルの配置情報を含む。
【００５８】
そのうち、ユーザ機器は、検出されるｅＣＣＥのうちの一つのｅＣＣＥに含まれる有効リソースエレメントの数及び／又は検出される下り制御情報フォーマットに基づき、検出すべきアグリゲーションレベル配置を決定する。アグリゲーションレベル配置は、配置１及び／又は配置２を含み、配置１は（アグリゲーションレベルａ１、アグリゲーションレベルａ２、アグリゲーションレベルａ３、アグリゲーションレベルａ４）で、そのうちａ１、ａ２、ａ３、ａ４はそれぞれ１、２、４、８であり、配置２は（アグリゲーションレベルｂ１、アグリゲーションレベルｂ２、アグリゲーションレベルｂ３、アグリゲーションレベルｂ４）または（アグリゲーションレベルａ２、アグリゲーションレベルａ３、アグリゲーションレベルａ４）で、そのうち、ｂ１、ｂ２、ｂ３、ｂ４はそれぞれ２、４、８、１６で、またはそれぞれ２、４、８、１２である。
【００５９】
そのうち、ユーザ機器は検出されるｅＣＣＥのうちの一つのｅＣＣＥに含まれる有効リソースエレメントの数及び／又は検出される下り制御情報フォーマットに基づき、検出すべきアグリゲーションレベル配置を決定することは、以下のような方式を含む。
【００６０】
ユーザ機器は検出されるｅＣＣＥのうちの一つのｅＣＣＥの、下り制御情報を伝送する有効符号レートに基づき、検出すべきアグリゲーションレベル配置を決定する。有効符号レートがＸより大きい場合、配置２を採用し、有効符号レートがＸ以下である場合、配置１を採用する。Ｘは０.９３又は１である。
【００６１】
ユーザ機器が検出するｅＣＣＥのうちの一つのｅＣＣＥの実際に伝送する最大ビット数が下り制御情報に含まれるビット数より小さい場合、検出すべきアグリゲーションレベルは配置１で、ユーザ機器が検出するｅＣＣＥのうちの一つのｅＣＣＥの実際に伝送する最大ビット数が下り制御情報に含まれるビット数以上である場合、検出すべきアグリゲーションレベルは配置２である。
【００６２】
ユーザ機器によって、下り制御情報フォーマットがｆｏｒｍａｔ０又はｆｏｒｍａｔ１Ａであることが検出された場合、検出すべきアグリゲーションレベルは配置１であり、ユーザ機器によって、下り制御情報フォーマットがｆｏｒｍａｔ２Ｃであることが検出された場合、検出すべきアグリゲーションレベルは配置２である。
【００６３】
図６は本発明の実施例に係るユーザ機器の構成を示すブロック図である。図６に示すように、当該ユーザ機器は、基地局によって配置されたリソースブロック集合と、少なくともリソースブロック集合で検出されるサブキャリア位置情報、リソースブロック集合で検出される増強制御チャネルユニット情報、ｅＰＤＣＣＨのマッピングモード、リソースブロック集合で検出されるアグリゲーションレベル配置情報、リソースブロック集合で検出されるアグリゲーションレベルに対応する候補セット数と下り制御情報フォーマットの何れか一つを含む既定義情報とを受信するように構成されている受信モジュール１０と、リソースブロック集合と既定義情報に基づき、リソースブロックで増強した物理下り制御チャネルｅＰＤＣＣＨに乗せられている下り制御情報を検出するように構成されている検出モジュール２０とを含む。
【００６４】
本実施例において、基地局によって配置されたリソースブロック集合と既定義情報によって、対応する物理リソースブロックでｅＰＤＣＣＨに乗せられている下り制御情報を検出するようユーザ機器に融通自在に指示し、これにより、ユーザ機器の検索スペースを検出するリソースを節約でき、システムのスケジューリング能率を高める。
【００６５】
図７は本発明の実施例に係る下り制御情報送信方法を示すフローチャート図であり、図７に示すように、
基地局が、リソースブロック集合と、少なくともリソースブロック集合で検出されるサブキャリア位置情報、リソースブロック集合で検出される増強制御チャネルユニット情報、ｅＰＤＣＣＨのマッピングモード、リソースブロック集合で検出されるアグリゲーションレベル配置情報、リソースブロック集合で検出されるアグリゲーションレベルに対応する候補セット数と下り制御情報フォーマットの何れか一つを含む既定義情報とを配置すること（ステップＳ７０２）と、
基地局が、ユーザ機器にリソースブロック集合と既定義情報とを送信し、リソースブロックで増強した物理下り制御チャネルｅＰＤＣＣＨに乗せられている下り制御情報を検出するようユーザ機器に指示すること（ステップＳ７０４）とを含む。
【００６６】
本実施例において、基地局によって配置されたリソースブロック集合と既定義情報によって、対応する物理リソースブロックでｅＰＤＣＣＨに乗せられている下り制御情報を検出するようユーザ機器に融通自在に指示し、これにより、ユーザ機器の検索スペースを検出するリソースを節約でき、システムのスケジューリング能率を高める。
【００６７】
図８は本発明の実施例に係る基地局の構成を示すブロック図である。図８に示すように、当該基地局は、リソースブロック集合と、少なくともリソースブロック集合で検出されるサブキャリア位置情報、リソースブロック集合で検出される増強制御チャネルユニット情報、ｅＰＤＣＣＨのマッピングモード、リソースブロック集合で検出されるアグリゲーションレベル配置情報、リソースブロック集合で検出されるアグリゲーションレベルに対応する候補セット数と下り制御情報フォーマットの何れか一つを含む既定義情報とを配置するように構成されている配置モジュール３０と、ユーザ機器にリソースブロック集合と既定義情報とを送信し、リソースブロックで増強した物理下り制御チャネルｅＰＤＣＣＨに乗せられている下り制御情報を検出するようユーザ機器に指示するように構成されている送信モジュール４０とを含む。
【００６８】
本実施例において、基地局によって配置されたリソースブロック集合と既定義情報によって、対応する物理リソースブロックでｅＰＤＣＣＨに乗せられている下り制御情報を検出するようユーザ機器に融通自在に指示し、これにより、ユーザ機器の検索スペースを検出するリソースを節約でき、システムのスケジューリング能率を高める。
【００６９】
実施例１
本発明の実施例は下り制御情報の検出方法を詳しく説明する。以下、図面を結合して実現プロセスを詳しく説明する。
【００７０】
ユーザ機器は基地局によって配置されたリソースブロック集合と既定義情報に基づき、リソースブロックで増強した物理下り制御チャネル（ｅＰＤＣＣＨ）に乗せられている下り制御情報を検出し、既定義情報はリソースブロック集合で検出されるサブキャリア位置情報、リソースブロック集合で検出される増強制御チャネルユニット情報、ｅＰＤＣＣＨのマッピングモード、リソースブロック集合で検出されるアグリゲーションレベル配置情報、リソースブロック集合で検出されるアグリゲーションレベルに対応する候補セットの数と下り制御情報フォーマットの一つ又はこれらの組合せを含む。
【００７１】
リソースブロック集合に含まれるリソースブロックの数は、２個、４個、６個、８個、１２個、１６個、３２個であることができるが、上記値に限らない。リソースブロック集合に含まれるリソースブロックの数が４より大きい場合、ユーザ機器は２又は４個のリソースブロックを検出されるリソースブロック集合として選択する。具体的な選択方式は以下の通りである。
【００７２】
ユーザ機器は、ＵＥ専有配置により、リソースブロック集合から２又は４個のリソースブロックを検出されるリソースブロック集合として選択することができる。各サブフレームによってリソースブロック集合から選択された２又は４個のリソースブロックは同じであってもよいし、同じではなくてもよい。ＵＥ専有配置は等間隔でリソースブロックを選択することができ、各ＵＥは専有する初期位置が配置される。
【００７３】
そのうち、ｅＰＤＣＣＨのマッピングモードは、連続式マッピングと離散式マッピングとを含む。下り制御情報フォーマットは下り制御情報に対応するデータのマッピングモードにより決定される。アグリゲーションレベルａはｅＰＤＣＣＨに対応するリソースがａ個の増強制御チャネルユニットであることを表し、同一種類のアグリゲーションレベルのｅＰＤＣＣＨは一種類のマッピング方式しか配置できない。アグリゲーションレベルに対応するリソースの大きさにより、すべてのアグリゲーションレベルは小さい順で配列すると、Ｎ１、Ｎ２…Ｎｐになり、ｐは正整数であり、そのうち、アグリゲーションレベルＮ１、Ｎ２…Ｎｑに対応するｅＰＤＣＣＨは連続式マッピングに配置され、アグリゲーションレベルＮ（ｑ＋１）…Ｎｐに対応するｅＰＤＣＣＨは離散式マッピングに配置され、ｑは正整数であり、基地局によって配置される。
【００７４】
具体的な応用は以下のとおりである。
アグリゲーションレベルは１、２、４、８であり、そのうち、ｑの値は１、２、４、８、又は１、２、４、又は２、４、８、又は２、４、又は１、又は２、又は４、又は８である。ｑが２の場合、１、２は連続式マッピングで、４、８は離散式マッピングであり、ｑが４の場合、１、２、４は連続式マッピングで、８は離散式マッピングである。
【００７５】
異なるサイクリックプレフィックスのタイプ（通常サイクリックプレフィックス、拡張サイクリックプレフィックス）は、異なるアグリゲーションレベルを定義する。
【００７６】
具体的な応用：
通常サイクリックプレフィックスと拡張サイクリックプレフィックスが異なるｅＣＣＥの大きさを定義する場合、通常サイクリックプレフィックスは２、４、８、１６で、拡張サイクリックプレフィックスは１、２、４、８である、或いは通常サイクリックプレフィックスは２、４、８で、拡張サイクリックプレフィックスは１、２、４、８である。
【００７７】
ＴＤＤシステムに関して、ユーザ機器は特別サブフレームと通常サブフレームで異なるアグリゲーションレベル集合を検出する。例えば以下のとおりである。
【００７８】
具体的な応用１：通常サブフレームにおける検出レベルは１、２、４、８で、特別サブフレームにおける検出レベルは２、４、８、１６である。
【００７９】
具体的な応用２：通常サブフレームにおける検出レベルは、２、４、８で、特別サブフレームにおける検出レベルは４、８、１６である。
【００８０】
具体的な応用３：通常サブフレームにおける検出レベルは１、２、４、８で、特別サブフレームにおける検出レベルは４、８、１６、３２である。
【００８１】
具体的な応用４：通常サブフレームにおける検出レベルは４、８、１６で、特別サブフレームにおける検出レベルは８、１６、３２である。特別サブフレームのアグリゲーションレベルは、配置されるものであってもよく、一定（固定）のものであってもよい。
【００８２】
ＴＤＤシステムに関して、特別サブフレームにおいて、ユーザ機器は特別サブフレームの配置により、検出されるアグリゲーションレベル集合を決定する。
【００８３】
ユーザ機器が検出されるアグリゲーションレベルを決定する方式は、
方式１：ユーザ機器が検出されるｅＣＣＥのうちの一つのｅＣＣＥの、下り制御情報を伝送する有効符号レートに基づき、検出すべきアグリゲーションレベル配置を決定することと、
方式２：ユーザ機器が検出されるｅＣＣＥのうちの一つのｅＣＣＥの、実際に伝送する最大ビット数に基づき、検出すべきアグリゲーションレベル配置を決定することと、
方式３：ユーザ機器が下り制御情報フォーマットＹを検出する場合、検出すべきアグリゲーションレベルは配置１であり、ユーザ機器が下り制御情報フォーマットＺを検出する場合、検出すべきアグリゲーションレベルは配置２であることと、
方式４：基地局によって、ユーザ機器が検出するアグリゲーションレベルを配置することとの少なくとも一つを含む。
【００８４】
具体的な応用は以下のとおりである。
ユーザ機器が検出すべきアグリゲーションレベルは、配置１（アグリゲーションレベルａ１、アグリゲーションレベルａ２、アグリゲーションレベルａ３、アグリゲーションレベルａ４）、配置２（アグリゲーションレベルｂ１、アグリゲーションレベルｂ２、アグリゲーションレベルｂ３、アグリゲーションレベルｂ４）；又は、配置１（アグリゲーションレベルａ１、アグリゲーションレベルａ２、アグリゲーションレベルａ３、アグリゲーションレベルａ４）、配置２（アグリゲーションレベルａ２、アグリゲーションレベルａ３、アグリゲーションレベルａ４）である。ａ１、ａ２、ａ３、ａ４は１、２、４，８であることができる。ただし、これは例示に過ぎず、上記値に限らない。ｂ１、ｂ２、ｂ３、ｂ４は２、４、８、１６、又は２、４、８、１２であることができる。ただし、これは例示に過ぎず、上記値に限らない。
【００８５】
ユーザ機器は検出されるｅＣＣＥのうちの一つのｅＣＣＥに含まれる有効なリソースエレメントの数、及び/又は検出される下り制御情報フォーマット（下り制御情報に含まれるビット数）に基づき、検出すべきアグリゲーションレベル配置を決定する。具体的には、以下のような方式を含む。
【００８６】
方式１：ユーザ機器は検出されるｅＣＣＥのうちの一つのｅＣＣＥの、下り制御情報を伝送する有効符号レートに基づいて検出すべきアグリゲーションレベル配置を決定する。即ち、前記有効符号レートがＸより大きい場合、配置２を採用するが、前記有効符号レートがＸ以下である場合、配置１を採用する。Ｘは０．９３又は１であってもよいが、この値に限らない。
【００８７】
方式２：ユーザ機器は検出されるｅＣＣＥのうちの一つのｅＣＣＥの、実際に伝送する最大ビット数に基づいて検出すべきアグリゲーションレベル配置を決定する。即ち、前記ｅＣＣＥの実際に伝送する最大ビット数が下り制御情報に含まれるビット数未満である場合、検出すべきアグリゲーションレベルは配置１であるが、ｅＣＣＥの実際に伝送する最大ビット数が下り制御情報に含まれるビット数より大きい場合、検出すべきアグリゲーションレベルは配置２である。
【００８８】
方式３：ユーザ機器が下り制御情報フォーマットＹを検出する場合、検出すべきアグリゲーションレベルは配置１であるが、ユーザ機器が下り制御情報フォーマットＺを検出する場合、検出すべきアグリゲーションレベルは配置２である。Ｙは０、１Ａであってもよく、Ｚは２Ｃ、４であってもよいが、上記値に限らない。
【００８９】
方式４：基地局はシグナリングを送信し、ユーザ機器に検出すべきアグリゲーションレベルを指示する。
【００９０】
ユーザ機器が検出すべきアグリゲーションレベルがアグリゲーションレベルａ１、アグリゲーションレベルａ２、アグリゲーションレベルａ３、アグリゲーションレベルａ４で、且つ各アグリゲーションレベルに対応する候補セットの数がｃ１、ｃ２、ｃ３、ｃ４であるとする。ユーザ機器がアグリゲーションレベルａ２、アグリゲーションレベルａ３、アグリゲーションレベルａ４のみを検出する場合、各アグリゲーションレベルに対応する候補セットの数はｃ２、ｃ３、ｃ４で、或いは、ｄ２、ｄ３、ｄ４であり、そのうち、ｄ２＋ｄ３＋ｄ４≦ｃ１＋ｃ２＋ｃ３＋ｃ４である。
【００９１】
具体的な応用は以下のとおりである。
ｃ１、ｃ２、ｃ３、ｃ４はそれぞれ６、６、２、２、又はそれぞれ８、４、２、２、又はそれぞれ４、８、２、２であり、そして、ｄ２、ｄ３、ｄ４はそれぞれ、８、４、４、又は８、４、２、又は１２、２、２、又は８、６、２などである。ａ１、ａ２、ａ３、ａ４は１、２、４、８であることができる。ただし、以上は例示に過ぎず、上記値に限らない。
【００９２】
ユーザ機器が検出するアグリゲーションレベルはアグリゲーションレベルａ１、アグリゲーションレベルａ２、アグリゲーションレベルａ３、アグリゲーションレベルａ４で、各アグリゲーションレベルに対応する候補セットの数はｃ１、ｃ２、ｃ３、ｃ４であり、そして、ｃ１、ｃ２、ｃ３、ｃ４はそれぞれ６、６、２、２、又は８、４、２、２、又は、４、８、２、２、又は４、４、４、４、又は４、６、４、２である。
【００９３】
異なるサイクリックプレフィックスは異なる候補セットの数に対応する。
【００９４】
具体的な応用は以下のとおりである。
ユーザ機器が検出するアグリゲーションレベルはアグリゲーションレベルａ１、アグリゲーションレベルａ２、アグリゲーションレベルａ３、アグリゲーションレベルａ４で、各アグリゲーションレベルに対応する候補セットの数はｃ１、ｃ２、ｃ３、ｃ４であり、そして、通常サイクリックプレフィックスの場合、ｃ１、ｃ２、ｃ３、ｃ４は４、８、２、２で、拡張サイクリックプレフィックスの場合、ｃ１、ｃ２、ｃ３、ｃ４は８、４、２、２である、或いは、通常サイクリックプレフィックスの場合、ｃ１、ｃ２、ｃ３、ｃ４は４、６、４、２で、拡張サイクリックプレフィックスの場合、ｃ１、ｃ２、ｃ３、ｃ４は６、６、２、２である。
【００９５】
連続式マッピングのｅＰＤＣＣＨに対応するｅＣＣＥはＬ−ｅＣＣＥと呼ばれ、一つのリソースブロックにマッピングされ、離散式マッピングのｅＰＤＣＣＨに対応するｅＣＣＥはＤ−ｅＣＣＥと呼ばれ、複数のリソースブロックにマッピングされる。
【００９６】
リソースブロック集合に４つのリソースブロックが含まれ、１つのリソースブロックに４つの増強制御チャネルユニットが含まれ、１つの増強制御チャネルユニットに２つのリソースグループが含まれ、すべてのリソースグループの番号は＃０から＃３１であり、アグリゲーションレベルａはｅＰＤＣＣＨに対応するリソースがａ個の増強制御チャネルユニットであることを表すとする。マッピング方式が離散式マッピングである場合、リソースブロック集合で検出されるサブキャリア位置情報は、
図９と図１１に示すように、アグリゲーションレベルが１の場合、リソースブロック集合で検出されるサブキャリア位置情報は｛（＃０，＃１６），（＃２，＃１８）｝、｛（＃１，＃１７），（＃３，＃１９）｝、｛（＃４，＃２０），（＃６，＃２２）｝、｛（＃５，＃２１），（＃７，＃２３）｝、｛（＃８，＃２４），（＃１０，＃２６）｝、｛（＃９，＃２５），（＃１１，＃２７）｝、｛（＃１２，＃２８），（＃１４，＃３０）｝、｛（＃１３，＃２９），（＃１５，＃３１）｝、｛（＃０，＃１６），（＃１，＃１７），（＃２，＃１８），（＃３，＃１９）｝、｛（＃４，＃２０），（＃５，＃２１），（＃６，＃２２），（＃７，＃２３）｝、｛（＃８，＃２４），（＃９，＃２５），（＃１０，＃２６），（＃１１，＃２７）｝，｛（＃１２，＃２８），（＃１３，＃２９），（＃１４，＃３０），（＃１５，＃３１）｝の何れか一つ又は組合せのリソースグループに対応するサブキャリアであることと、
図１１〜１３に示すように、アグリゲーションレベルが２の場合、リソースブロック集合で検出されるサブキャリア位置情報は｛（＃０，＃１，＃１６，＃１７），（＃２，＃３，＃１８，＃１９）｝、｛（＃４，＃５，＃２０，＃２１），（＃６，＃７，＃２２，＃２３）｝、｛（＃８，＃９，＃２４，＃２５），（＃１０，＃１１，＃２６，＃２７）｝、｛（＃１２，＃１３，＃２８，＃２９），（＃１４，＃１５，＃３０，＃３１）｝、｛（＃０，＃８，＃１６，＃２４），（＃２，＃１０，＃１８，＃２６）｝、｛（＃１，＃９，＃１７，＃２５），（（＃３，＃１１，＃１９，＃２７））｝、｛（＃４，＃１２，＃２０，＃２８），（（＃６，＃１４，＃２２，＃３０））｝、｛（＃５，＃１３，＃２１，＃２９），（（＃７，＃１５，＃２３，＃３１））｝の何れか一つ又は組合せのリソースグループに対応するサブキャリアであることの少なくとも一つである。
【００９７】
リソースブロック集合に２つのリソースブロックが含まれ、１つのリソースブロックに４つの増強制御チャネルユニットが含まれ、全ての増強制御チャネルユニットが＃０から＃７と番号付けられ、アグリゲーションレベルａがｅＰＤＣＣＨに対応するリソースがａ個の増強制御チャネルユニットであることを表す場合、リソースブロック集合で検出される増強制御チャネルユニット情報は、
マッピング方式が連続式マッピングで、且つアグリゲーションレベルが１である場合、リソースブロック集合で検出される増強制御チャネルユニット情報は＃０から＃７であることと、
マッピング方式が連続式マッピングで、且つアグリゲーションレベルが２である場合、リソースブロック集合で検出される増強制御チャネルユニット情報は｛＃０，＃１｝，｛＃２，＃３｝、｛＃４，＃５｝、｛＃６，＃７｝であることと、
マッピング方式が連続式マッピングで、且つアグリゲーションレベルが４である場合、リソースブロック集合で検出される増強制御チャネルユニット情報は
｛＃０，＃１，＃２，＃３｝、｛＃４，＃５，＃６，＃７｝であることと、
マッピング方式が離散式マッピングで、且つアグリゲーションレベルが２である場合、リソースブロック集合で検出される増強制御チャネルユニット情報は｛＃０，＃４｝，｛＃１，＃５｝、｛＃２，＃６｝、｛＃３，＃７｝であることと、
マッピング方式が離散式マッピングで、且つアグリゲーションレベルが４である場合、リソースブロック集合で検出される増強制御チャネルユニット情報は｛＃０，＃２，＃４，＃６｝、｛＃１，＃３，＃５，＃７｝であることとの少なくとも一つである。
【００９８】
リソースブロック集合に２つのリソースブロックが含まれ、１つのリソースブロックに４つの増強制御チャネルユニットが含まれ、全ての増強制御チャネルユニットが＃０から＃７と番号付けられ、アグリゲーションレベルａがｅＰＤＣＣＨに対応するリソースがａ個の増強制御チャネルユニットであることを表す場合、前記リソースブロック集合で検出される増強制御チャネルユニット情報は、
マッピング方式が連続式マッピングで、且つアグリゲーションレベルが１である場合、リソースブロック集合で検出される増強制御チャネルユニット情報は＃０から＃７であることと、
マッピング方式が連続式マッピングで、且つアグリゲーションレベルが２である場合、リソースブロック集合で検出される増強制御チャネルユニット情報は｛＃０，＃１｝，｛＃２，＃３｝、｛＃４，＃５｝、｛＃６，＃７｝であることと、
マッピング方式が連続式マッピングで、且つアグリゲーションレベルが４である場合、リソースブロック集合で検出される増強制御チャネルユニット情報は
｛＃０，＃１，＃２，＃３｝、｛＃４，＃５，＃６，＃７｝であることと、
マッピング方式が離散式マッピングで、且つアグリゲーションレベルが２である場合、リソースブロック集合で検出される増強制御チャネルユニット情報は｛＃０，＃４｝，｛＃１，＃５｝、｛＃２，＃６｝、｛＃３，＃７｝であることと、
マッピング方式が離散式マッピングで、且つアグリゲーションレベルが４である場合、リソースブロック集合で検出される増強制御チャネルユニット情報は｛＃０，＃２，＃４，＃６｝、｛＃１，＃３，＃５，＃７｝であることとの少なくとも一つである。
【００９９】
具体的な検索スペースの定義は以下に示すとおりである。
ＰＲＢ単位で検索スペースを定義し、異なるＵＥは同じＰＲＢで同じ所定の組合せに従い検出する。例えば、二つのＰＲＢでＵＥの検索スペースを定義する（ＰＲＢｓｅｔにより決定する）。
【０１００】
連続式マッピングに対して、図１４に示すようなＬ１〜Ｌ１４という１４個の候補セットが定義され、離散式マッピングに対して、図１５に示すようなＤ９〜Ｄ１５という７個の候補セットが定義されることができる。
【０１０１】
リソースブロック集合に４つのリソースブロックが含まれ、１つのリソースブロックに４つの増強制御チャネルユニットが含まれ、全ての増強制御チャネルユニットについて＃０から＃１５と番号付けられ、アグリゲーションレベルａがｅＰＤＣＣＨに対応するリソースがａ個の増強制御チャネルユニットであることを表す場合、リソースブロック集合で検出される増強制御チャネルユニット情報は、
マッピング方式が連続式マッピングで、且つアグリゲーションレベルが１である場合、リソースブロック集合で検出される増強制御チャネルユニット情報は｛＃０，＃２，＃４，＃６，＃８，＃１０，＃１２，＃１４｝または｛＃１，＃３，＃５，＃７，＃９，＃１１，＃１３，＃１５｝であることと、
マッピング方式が連続式マッピングで、且つアグリゲーションレベルが２である場合、リソースブロック集合で検出される増強制御チャネルユニット情報は｛（＃０，＃１），（＃４，＃５），（＃８，＃９），（＃１２，＃１３）｝、または、｛（＃２，＃３），（＃６，＃７），（＃１０，＃１１），（＃１４，＃１５）｝であることと、
マッピング方式が連続式マッピングで、且つアグリゲーションレベルが４である場合、リソースブロック集合で検出される増強制御チャネルユニット情報は｛（＃０，＃１，＃２，＃３），（＃８，＃９，＃１０，＃１１）｝、又は｛（＃４，＃５，＃６，＃７），（＃１２，＃１３，＃１４，＃１５）｝であることと、
マッピング方式が離散式マッピングで、且つアグリゲーションレベルが２である場合、リソースブロック集合で検出される増強制御チャネルユニット情報は｛（＃０，＃８），（＃２，＃１０），（＃４，＃１２），（＃６，＃１４）｝、または｛（＃１，＃９），（＃３，＃１１），（＃５，＃１３），（＃７，＃１５）｝であることと、
マッピング方式が離散式マッピングで、且つアグリゲーションレベルが４である場合、リソースブロック集合で検出される増強制御チャネルユニット情報は｛（＃０，＃４，＃８，＃１２），（＃２，＃６，＃１０，＃１４）｝、又は｛（＃１，＃５，＃９，＃１３），（＃３，＃７，＃１１，＃１５）｝であることと、
マッピング方式が離散式マッピングで、且つアグリゲーションレベルが８である場合、リソースブロック集合で検出される増強制御チャネルユニット情報は｛（＃０，＃２，＃４，＃６，＃８，＃１０，＃１２，＃１４），（＃１，＃３，＃５，＃７，＃８，＃９，＃１１，＃１３）｝であることとの少なくとも一つである。
【０１０２】
ＰＲＢ単位で検索スペースを定義し、異なるＵＥは同じＰＲＢで異なる所定の組合せに従い検出することができる。また、異なるアグリゲーションレベルが同時に渋滞する確率が低減されるように、アグリゲーションレベル１とアグリゲーションレベル２は異なるリソースに対応する。（ＰＲＢｓｅｔとＰａｔｔｅｒｎ  Ｉｎｄｅｘにより決定する）。
【０１０３】
連続式マッピングに対して、図１６に示すように、２種類の配置が定義され、種類ごとにＬ１〜Ｌ１４で表す１４個の候補セットが配置される。離散式マッピングに対して、図１７と１８に示すように、２種類の配置が定義され、種類ごとにＤ９〜Ｄ１５で表す８個の候補セットが配置される、又は図１９と２０に示すように、２種類の配置が定義され、種類ごとにＤ１〜Ｄ１６で表す１６個の候補セットが配置されることもできる。
【０１０４】
まずは時間領域、その後は周波数領域というように、１つ（２つ）のリソースエレメントを粒度にしてリソースを分割し、具体的には、
１つのリソースブロックが４つのｅＣＣＥに分けられ、図２１に示すように、異なる番号は異なるｅＣＣＥを示すことになる。
【０１０５】
周波数領域サブキャリアによりグルーピングして、異なるグループが異なるリソースの分割に対応する。
【０１０６】
一つのリソースブロックは８つのｅＲＥＧ（増強したリソースグループ）に分けられ、４つのサブキャリアを単位にして、リソースブロックは３つのグループに分けられ、異なるグループにおいて同じｅＲＥＧ番号に対応する相対的な位置が異なる。図２２に示すように、異なる番号は異なるｅＲＥＧを表す。
【０１０７】
もう一つの実施例において、さらに上記実施例に記載した技術案を実行するためのソフトウェアを提供する。
【０１０８】
もう一つの実施例において、さらに、上記ソフトウェアが記憶された記憶媒体を提供する。当該記憶媒体は、光ディスク、フロッピー(登録商標)ディスク、ハードディスク、消去可能なメモリなどを含むが、これらに限らない。
【０１０９】
本発明の上記の各実施例において、基地局によって配置されたリソースブロック集合と既定義情報によって、対応する物理リソースブロックでｅＰＤＣＣＨに乗せられている下り制御情報を検出するようユーザ機器に融通自在に指示し、これにより、ユーザ機器の検索スペースを検出するリソースを節約でき、システムのスケジューリング能率の向上を図れる。
【０１１０】
当業者にとって、上記の本発明の各モジュール又は各ステップは汎用の演算装置によって実現することができ、単独の演算装置に集中させることができるし、複数の演算装置からなるネットワークに分布させることもでき、さらに演算装置が実行可能なプログラムコードによって実現することもできるので、それらを記憶装置に記憶させて演算装置によって実行することができ、また、場合によっては、示した又は記載したステップを、ここでの順序と異なる順序で実行し、或いは夫々集積回路モジュールに作製し、或いはそのうちの複数のモジュール又はステップを単独の集積回路モジュールに作製して実現することができることは明らかなことである。このように、本発明は如何なる特定のハードウェアとソフトウェアの結合にも限定されない。
【０１１１】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【符号の説明】
【０１１２】
１０  受信モジュール
２０  検出モジュール
３０  配置モジュール
４０  送信モジュール
【図１】
0006320370.tif 000002
【図２】
0006320370.tif 000003
【図３】
0006320370.tif 000004
【図４】
0006320370.tif 000005
【図５】
0006320370.tif 000006
【図６】
0006320370.tif 000007
【図７】
0006320370.tif 000008
【図８】
0006320370.tif 000009
【図９】
0006320370.tif 000010
【図１０】
0006320370.tif 000011
【図１１】
0006320370.tif 000012
【図１２】
0006320370.tif 000013
【図１３】
0006320370.tif 000014
【図１４】
0006320370.tif 000015
【図１５】
0006320370.tif 000016
【図１６】
0006320370.tif 000017
【図１７】
0006320370.tif 000018
【図１８】
0006320370.tif 000019
【図１９】
0006320370.tif 000020
【図２０】
0006320370.tif 000021
【図２１】
0006320370.tif 000022
【図２２】
0006320370.tif 000023